(57)【要約】  本発明の複数の実施例は、タイミング基準情報を送信、受信、及び決定するための、方法、装置、及びシステムを提供し、かつ通信分野に関連する。タイミング基準情報を送信する方法は：携帯端末により通知されたアクセス時間差情報を取得するステップ；前記アクセス時間差情報に従って、タイミング基準情報を生成するステップであって、前記タイミング基準情報は、タイミング基準セルの識別情報を含む、ステップ；及び前記タイミング基準情報を前記携帯端末に送信するステップ；を備える。異なる下りリンクのチャネルのタイミングを有する２つのセルのうちの１つをタイミング基準セルとして決定し、かつ前記タイミング基準セルをＨＡＲＱ−ＡＣＫ情報をフィードバックするための基準として利用する技術的手段により、本発明は、ＵＥがサービングセル及び補助サービングセルの２つのＨＡＲＱ−ＡＣＫ情報を共同でフィードバックするために同じＨＳ−ＤＰＣＣＨを使用する場合に発生するタイミングの問題を解決する。
2015513873.tif 000002
【特許請求の範囲】
【請求項１】
タイミング基準信号を送信する方法であって、前記方法は、異なる下りリンクのチャネルのタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記方法は：
携帯端末により通知されるアクセス時間差情報を取得するステップ；
前記アクセス時間差情報に従って、タイミング基準情報を生成するステップであって、前記タイミング基準情報は、タイミング基準セルの識別子情報を含む、ステップ；及び
前記タイミング基準情報を前記携帯端末に送信するステップ；
を含む、方法。
【請求項２】
前記アクセス時間差情報に従って、タイミング基準情報を生成するステップは、具体的には：
前記アクセス時間差情報に従って、前記２つのセルのサブフレーム対関係を生成するステップ；
前記アクセス時間差情報及び前記サブフレーム対関係に従って、前記２つのセルの中の互いに対になった２つのサブフレームの時系列関係を決定するステップ；
前記２つのセルのうち、前のセル及び後のセルを決定するステップ；
前記前のセルのハイブリッドＡＲＱプロセスのスケジューリング期間に従って、前記前のセル及び前記後のセルのうちの一方を前記タイミング基準セルとし、かつ他方を対になったセルとして決定するステップ；及び
前記タイミング基準セルの前記識別子情報に従って、前記タイミング基準情報を生成するステップ；
を含む、請求項１に記載のタイミング基準情報を送信する方法。
【請求項３】
前記２つのセルのうち、前のセル及び後のセルを決定するステップは、具体的には：
前記２つのセルの中の互いに対になった２つのサブフレームの前記時系列関係に従って、前記２つのセルのうちの前記前のセル及び前記後のセルを決定するステップ；
を含む、請求項２に記載のタイミング基準情報を送信する方法。
【請求項４】
前記前のセルのハイブリッドＡＲＱプロセスのスケジューリング期間に従って、前記前のセル及び前記後のセルのうちの一方を前記タイミング基準セルとして、かつ他方を対になったセルとして決定するステップは、具体的には：
前記前のセルの前記ハイブリッドＡＲＱプロセスのスケジューリング期間は、６サブフレーム期間、７サブフレーム期間、及び８サブフレーム期間のうちの１つであり、
前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして、管理ノードにより、決定するステップ；
を含む、請求項２に記載のタイミング基準情報を送信する方法。
【請求項５】
前記前のセルのハイブリッドＡＲＱプロセスのスケジューリング期間に従って、前記前のセル及び前記後のセルのうちの一方を前記タイミング基準セルとして、かつ他方を対になったセルとして決定するステップは、具体的には：
前記前のセルの前記ハイブリッドＡＲＱプロセスの前記スケジューリング期間は、６サブフレーム期間、７サブフレーム期間、及び８サブフレーム期間のうちの１つであり、
前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして、管理ノードにより、決定するステップ；
を含む、請求項２に記載のタイミング基準情報を送信する方法。
【請求項６】
請求項２から５のいずれか１項に記載のタイミング基準情報を送信する方法であって、前記タイミング基準情報を送信する方法は、さらに：
前記２つのセルの前記サブフレーム対関係を前記携帯端末に送信するステップ；
を含む、方法。
【請求項７】
前記サブフレーム対関係は：
前記２つのセルの中の前記互いに対になった２つのサブフレームのシステムフレーム番号及びサブフレーム番号；又は
前記２つのセルの中の互いに対になった第１のサブフレーム及び第２のサブフレームにおける、前記第１のサブフレームのシステムフレーム番号及びサブフレーム番号、及び前記第１のサブフレームと比較しての、前記第２のサブフレームについてのシステムフレーム番号オフセット及びサブフレーム番号オフセット、
を含む、請求項２から５のいずれか１項に記載のタイミング基準情報を送信する方法。
【請求項８】
前記タイミング基準情報を送信する方法は、さらに：
フィードバック時間表示情報を前記携帯端末に送信するステップであって、前記フィードバック時間表示情報は、事前に定められたタイムスロット長を示すために使用される、ステップ；を含み、
前記事前に定められたタイムスロット長の値の範囲は、［７．５タイムスロット−１．５タイムスロット、７．５タイムスロット＋１．５タイムスロット］である
請求項１から５のいずれか１項に記載のタイミング基準情報を送信する方法。
【請求項９】
タイミング基準情報を受信する方法であって、前記方法は、異なる下りリンクのチャネルタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記方法は：
管理ノードにより送信されるタイミング基準情報を受信するステップ；
前記タイミング基準情報に従って、前記２つのセルのうちの１つがタイミング基準セルであることを認識するステップ；及び
前記２つのセルの対になったサブフレームを受信し、かつ前記タイミング基準セルの中のサブフレームを受信した後に、事前に定められたタイムスロット長後のハイブリッドＡＲＱ受信確認情報をフィードバックするステップであって、前記ハイブリッドＡＲＱ受信確認情報は、前記２つのセルの中の前記対になったサブフレームについて共同で同時にフィードバックされるハイブリッドＡＲＱ受信確認情報である、ステップ；
を含む、タイミング基準情報を受信する方法。
【請求項１０】
前記２つのセルの対になったサブフレームを受信するステップの前に、前記方法は、さらに：
前記管理ノードにより送信される、前記２つのセルのサブフレーム対関係を受信するステップ；及び
対応して、前記２つのセルの対になったサブフレームを受信するステップの前に、前記方法は、具体的には：
前記２つのセルの前記受信されたサブフレーム対関係に従って、前記２つのセルの前記対になったサブフレームを受信するステップ；
を含む、請求項９に記載のタイミング基準情報を受信する方法。
【請求項１１】
前記タイミング基準情報を受信する方法は、さらに：
前記事前に定められたタイムスロット長を取得するために、前記管理ノードにより送信されたフィードバック時間表示情報を受信及び解析するステップ；を含み、
前記事前に定められたタイムスロット長の値の範囲は、［７．５タイムスロット−１．５タイムスロット、７．５タイムスロット＋１．５タイムスロット］である、
請求項９から１０に記載のタイミング基準情報を受信する方法。
【請求項１２】
タイミング基準情報を決定する方法であって、前記方法は、異なる下りリンクのチャネルのタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記方法は：
前記２つのセルの中の互いに対になった２つのサブフレームの時系列関係に従って、前記２つのセルのうちの前のセル及び後のセルを決定するステップ；及び
前記前のセルのハイブリッドＡＲＱプロセスのスケジューリング期間に従って、前記前のセル及び前記後のセルのうちの一方をタイミング基準セルとして、かつ他方を対になったセルとして決定するステップ；
を含む、タイミング基準情報を決定する方法。
【請求項１３】
前記前のセルのハイブリッドＡＲＱプロセスのスケジューリング期間に従って、前記前のセル及び前記後のセルのうちの一方をタイミング基準セルとして、かつ他方を対になったセルとして決定するステップは、具体的には：
前記前のセルの前記ハイブリッドＡＲＱプロセスの前記スケジューリング期間は、６サブフレーム期間、７サブフレーム期間、及び８サブフレーム期間のうちの１つであり、
前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして決定するステップ；
を含む、請求項１２に記載のタイミング基準情報を決定する方法。
【請求項１４】
前記前のセルのハイブリッドＡＲＱプロセスのスケジューリング期間に従って、前記前のセル及び前記後のセルのうちの一方をタイミング基準セルとして、かつ他方を対になったセルとして決定するステップは、具体的には：
前記前のセルの前記ハイブリッドＡＲＱプロセスの前記スケジューリング期間は、６サブフレーム期間、７サブフレーム期間、及び８サブフレーム期間のうちの１つであり、
前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして決定するステップ；
を含む、請求項１２に記載のタイミング基準情報を決定する方法。
【請求項１５】
無線ネットワークコントローラであって、前記無線ネットワークコントローラは、異なる下りリンクのチャネルのタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記無線ネットワークコントローラは：
携帯端末により通知されるアクセス時間差情報を取得するように構成されるアクセス時間取得モジュール；
前記アクセス時間差情報に従って、タイミング基準情報を生成するように構成されるタイミング基準決定モジュールであって、前記タイミング基準情報は、タイミング基準セルの識別子情報を含む、タイミング基準決定モジュール；及び
前記携帯端末に前記タイミング基準情報を送信するように構成されるタイミング基準送信モジュール；
を備える、無線ネットワークコントローラ。
【請求項１６】
前記タイミング基準決定モジュールは、具体的には：
対関係生成部、時間関係決定部、セル関係決定部、タイミング基準決定部、及び基準情報生成部を含み：
前記対関係生成部は、前記アクセス時間差情報に従って、前記２つのセルのサブフレーム対関係を生成するように構成され；
前記時間関係決定部は、前記アクセス時間差情報及び前記サブフレーム対関係に従って、前記２つのセルの中の互いに対になった２つのサブフレームの時系列関係を決定するように構成され；
前記セル関係決定部は、前記２つのセルのうち、前のセル及び後のセルを決定するように構成され；
前記タイミング基準決定部は、前記前のセルのハイブリッドＡＲＱプロセスのスケジューリング期間に従って、前記前のセル及び前記後のセルのうちの一方を前記タイミング基準セルとし、かつ他方を対になったセルとして決定するように構成され；かつ
前記基準情報生成部は、前記タイミング基準セルの前記識別子情報に従って、前記タイミング基準情報を生成するように構成される、
請求項１５に記載の無線ネットワークコントローラ。
【請求項１７】
前記セル関係決定部は、具体的には、前記２つのセルの中の互いに対になった２つのサブフレームの前記時系列関係に従って、前記２つのセルのうちの前記前のセル及び前記後のセルを決定するように構成される、
請求項１６に記載の無線ネットワークコントローラ。
【請求項１８】
前記タイミング基準決定部は、具体的には：
第１決定サブユニット；を含み、
前記前のセルの前記ハイブリッドＡＲＱプロセスの前記スケジューリング期間は、６サブフレーム期間、７サブフレーム期間、及び８サブフレーム期間のうちの１つであり；かつ
前記第１決定サブユニットは、前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして決定するように構成される
請求項１６に記載の無線ネットワークコントローラ。
【請求項１９】
前記タイミング基準決定部は、具体的には：
第２決定サブユニット；を含み、
前記前のセルの前記ハイブリッドＡＲＱプロセスの前記スケジューリング期間は、６サブフレーム期間、７サブフレーム期間、及び８サブフレーム期間のうちの１つであり；かつ
前記第２決定サブユニットは、前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして決定するように構成される、
請求項１６に記載の無線ネットワークコントローラ。
【請求項２０】
前記無線ネットワークコントローラは、さらに：
前記２つのセルの前記サブフレーム対関係を前記携帯端末に送信するように構成される、対関係送信モジュール；
を含む、請求項１６から１９のいずれか１項に記載の無線ネットワークコントローラ。
【請求項２１】
前記無線ネットワークコントローラは、さらに：
フィードバック時間表示情報を前記携帯端末に送信するように構成される表示情報送信モジュールであって、前記フィードバック時間表示情報は、事前に定められたタイムスロット長を示すために使用される、表示情報送信モジュール；を含み、
前記事前に定められたタイムスロット長の値の範囲は、［７．５タイムスロット−１．５タイムスロット、７．５タイムスロット＋１．５タイムスロット］である、
請求項１５から１９のいずれか１項に記載の無線ネットワークコントローラ。
【請求項２２】
前記対関係生成部により生成される前記サブフレーム対関係は：
前記２つのセルの中の互いに対になった２つのサブフレームのシステムフレーム番号及びサブフレーム番号；又は
前記２つのセルの中の互いに対になった第１のサブフレーム及び第２のサブフレームにおける、前記第１のサブフレームのシステムフレーム番号及びサブフレーム番号、及び前記第１のサブフレームと比較しての前記第２のサブフレームについてのシステムフレーム番号オフセット及びサブフレーム番号オフセット、
を含む、請求項１６から１９のいずれか１項に記載の無線ネットワークコントローラ。
【請求項２３】
携帯端末であって、前記携帯端末は、異なる下りリンクのチャネルタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記携帯端末は：
タイミング基準情報を受信するように構成される基準情報受信モジュール；
前記タイミング基準情報に従って、前記２つのセルのうちの１つがタイミング基準セルであることを認識するように構成される基準情報分析モジュール；
前記２つのセルの対になったサブフレームを受信するように構成されるサブフレーム対受信モジュール；及び
前記タイミング基準セルの中のサブフレームを受信した後に、事前に定められたタイムスロット長後のハイブリッドＡＲＱ受信確認情報をフィードバックするように構成される受信情報フィードバックモジュールであって、前記ハイブリッドＡＲＱ受信確認情報は、前記２つのセルの中の前記対になったサブフレームについて共同で同時にフィードバックされるハイブリッドＡＲＱ受信確認情報である、受信情報フィードバックモジュール；
を備える、携帯端末。
【請求項２４】
前記携帯端末は、さらに：
前記２つのセルのサブフレーム対関係を受信するように構成される対関係受信モジュール；を備え、かつ、
対応して、前記対関係受信モジュールは、具体的には、前記対関係受信モジュールにより受信された前記２つのセルの前記サブフレーム対関係に従って、前記２つのセルの前記対になったサブフレームを受信するように構成される、
請求項２３に記載の携帯端末。
【請求項２５】
前記携帯端末は、さらに：
前記事前に定められたタイムスロット長を取得するために、フィードバック時間表示情報を受信及び解析するように構成される表示情報受信モジュール；を備え、
前記事前に定められたタイムスロット長の値の範囲は、［７．５タイムスロット−１．５タイムスロット、７．５タイムスロット＋１．５タイムスロット］である、
請求項２３又は２４に記載の携帯端末。
【請求項２６】
携帯端末であって、前記携帯端末は、異なる下りリンクのチャネルタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記携帯端末は：
前記２つのセルのうちの前のセル及び後のセルを決定するように構成されるセル関係決定モジュール；
前記前のセルのハイブリッドＡＲＱプロセスのスケジューリング期間に従って、前記前のセル及び前記後のセルのうちの一方をタイミング基準セルとして、かつ他方を対になったセルとして決定するように構成されるタイミング基準決定モジュール；及び
前記タイミング基準セルの中のサブフレームを受信した後に、事前に定められたタイムスロット長後のハイブリッドＡＲＱ受信確認情報をフィードバックするように構成される受信情報フィードバックモジュールであって、前記ハイブリッドＡＲＱ受信確認情報は、前記２つのセルの中の２つの対になったサブフレームについて共同で同時にフィードバックされるハイブリッドＡＲＱ受信確認情報である、受信情報フィードバックモジュール；
を備える、携帯端末。
【請求項２７】
前記セル関係決定モジュールは、具体的には、前記２つのセルの中の前記互いに対になった２つのサブフレームの時系列関係に従って、前記２つのセルのうちの前記前のセル及び前記後のセルを決定するように構成される、
請求項２６に記載の携帯端末。
【請求項２８】
前記タイミング基準決定モジュールは、具体的には：
第１決定部；を含み：
前記前のセルの前記ハイブリッドＡＲＱプロセスの前記スケジューリング期間は、６サブフレーム期間、７サブフレーム期間、及び８サブフレーム期間のうちの１つであり；かつ
前記第１決定部は、前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして決定するように構成される、
請求項２６に記載の携帯端末。
【請求項２９】
前記タイミング基準決定モジュールは、具体的には：
第２決定部；を含み：
前記前のセルの前記ハイブリッドＡＲＱプロセスの前記スケジューリング期間は、６サブフレーム期間、７サブフレーム期間、及び８サブフレーム期間のうちの１つであり；かつ
前記第２決定部は、前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして決定するように構成される、
請求項２６に記載の携帯端末。
【請求項３０】
前記携帯端末は、さらに：
アクセス情報取得モジュール及び第１時間関係決定モジュールを含み：
前記アクセス情報取得モジュールは、前記２つのセルのアクセス時間差情報を取得するように構成され；かつ
前記第１時間関係決定モジュールは、前記アクセス時間差情報に従って、前記２つのセルの中の前記互いに対になった２つのサブフレームの前記時系列関係を決定するように構成される、
請求項２６から２９のいずれか１項に記載の携帯端末。
【請求項３１】
前記携帯端末は、さらに：
対関係受信モジュール、受信時間取得モジュール、及び第２時間関係決定モジュールを備え：
前記対関係受信モジュールは、前記２つのセルのサブフレーム対関係を取得するように構成され；
前記受信時間取得モジュールは、前記２つのセルの中の前記互いに対になった２つのサブフレームの受信時間を取得するように構成され；かつ
前記第２時間関係決定モジュールは、前記サブフレーム対関係及び前記取得時間に従って、前記２つのセルの中の前記互いに対になった２つのサブフレームの前記時系列関係を決定するように構成される、
請求項２６又は２９のいずれか１項に記載の携帯端末。
【請求項３２】
前記サブフレーム対関係は：
前記２つのセルの中の互いに対になった２つのサブフレームのシステムフレーム番号及びサブフレーム番号；又は
前記２つのセルの中の互いに対になった第１のサブフレーム及び第２のサブフレームにおける、前記第１のサブフレームのシステムフレーム番号及びサブフレーム番号、及び前記第１のサブフレームと比較しての前記第２のサブフレームについてのシステムフレーム番号オフセット及びサブフレーム番号オフセット、を含む、
請求項３１に記載の携帯端末。
【請求項３３】
通信システムであって、
請求項１５から２２のいずれか１項に記載の無線ネットワークコントローラ、及び
請求項２３から２５のいずれか１項に記載の携帯端末、
を含む、通信システム。
【発明の詳細な説明】
【技術分野】
【０００１】
本出願は、２０１２年３月１６日に中国特許庁に出願された「ＴＩＭＩＮＧ  ＭＥＴＨＯＤ，ＴＩＭＩＮＧ  ＲＥＦＥＲＥＮＣＥ  ＤＥＴＥＲＭＩＮＩＮＧ  ＭＥＴＨＯＤ，ＤＥＶＩＣＥ，ＡＮＤ  ＳＹＳＴＥ」と題する中国特許出願第２０１２１００７１４４８．３の優先権を主張し、参照することにより、その全内容をここに援用する。
【０００２】
本発明は通信技術の分野に関連し、そして特に、異なる下りリンクのチャネルタイミングを有する２つのセルを含む通信システムにおけるタイミング基準情報を送信、受信、及び決定するための方法、装置、及びシステムに関連する。
【背景技術】
【０００３】
無線通信システムにおいて、下りリンクの送信とは、基地局が信号をユーザ装置に対して送信する処理のことである。一般に、下りリンクの信号は、データ信号及び制御信号を含む。ＨＳＤＰＡ（Ｈｉｇｈ  Ｓｐｅｅｄ  Ｄｏｗｎｌｉｎｋ  Ｐａｃｋｅｔ  Ａｃｃｅｓｓ、高速ダウンリンクパケットアクセス）は、パケットベースのデータサービスであり、かつ下りリンクの送信の際のデータ伝送速度を向上することができる。ＨＳＤＰＡ技術は、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多重アクセス）システムにおいて適用されてもよい。ＷＣＤＭＡ（登録商標）システムにおいて、基地局は、一般に、ＮｏｄｅＢ（Ｂａｓｅ  ｓｔａｔｉｏｎ、ノードＢ）と呼ばれ、そしてユーザ装置又は携帯端末は、一般に、ＵＥ（Ｕｓｅｒ  Ｅｑｕｉｐｍｅｎｔ、ユーザ装置）と呼ばれる。一般に、一つのＮｏｄｅＢによりカバーされるエリアは、３つ又は６つのセクタに分割され、かつ各セクタは、１つ以上のセルを提供する。
【０００４】
ＨＳＤＰＡの機能及び特徴を実行するために、ＨＳＤＰＡは、物理レイヤ仕様において、３つの新しいチャネルを導入している：ＨＳ−ＰＤＳＣＨ（Ｈｉｇｈ−Ｓｐｅｅｄ  Ｄｏｗｎｌｉｎｋ  Ｐａｃｋｅｔ  Ａｃｃｅｓｓ、高速物理下りリンク共有チャネル）、ＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ、高速共有制御チャネル）、及びＨＳ−ＤＰＣＣＨ（Ｕｐｌｉｎｋ  Ｈｉｇｈ−Ｓｐｅｅｄ  Ｄｅｄｉｃａｔｅｄ  Ｐｈｙｓｉｃａｌ  Ｃｏｎｔｒｏｌ  Ｃｈａｎｎｅｌ、上り高速専用物理制御チャネル）である。簡単に言えば、一方では、セルは、下りリンク信号の中のデータ信号をＵＥに送信するために、ＨＳ−ＰＤＳＣＨチャネルを使用し、かつ下りリンク信号の中の制御信号をＵＥに送信するために、ＨＳ−ＳＣＣＨチャネルを使用し、ここで、当該制御信号は、データ信号を復調及び復号化するため及び他の複数の目的のために用いられてもよく；他方、データ信号の受信後、ＵＥは、制御信号に従って、対応するデータ信号の復調及び復号化等の処理を実行し、そしてその後、セルの受信状態を示すＨＡＲＱ−ＡＣＫ情報（Ｈｙｂｒｉｄ  Ａｕｔｏｍａｔｉｃ  Ｒｅｐｅａｔ  Ｒｅｑｕｅｓｔ−ＡＣＫ、ハイブリッドＡＲＱ−ＡＣＫ情報）をフィードバックするために、ＨＳ−ＤＰＣＣＨチャネルを用いる。ここで、ＨＡＲＱ−ＡＣＫ情報は、ＡＣＫ／ＮＡＣＫ／ＤＴＸ情報であってもよく、ＡＣＫは、ＵＥが正常にデータ信号を受信したことを示し、ＮＡＣＫは、ＵＥがデータ信号を正常に受信しなかったことを示し、そしてＤＴＸは、ＵＥがデータを検出しなかったこと、又はセルが非アクティブ状態にあることを示す。この処理、つまり、ＨＳＤＰＡ、で使用される重要な技術のうちの一つは、ＨＡＲＱ（Ｈｙｂｒｉｄ  Ａｕｔｏｍａｔｉｃ  Ｒｅｐｅａｔ  Ｒｅｑｕｅｓｔ、ハイブリッドＡＲＱ）である。
【０００５】
しかしながら、下りリンクの送信の際のデータ伝送速度をさらに向上するためには、従来技術において、マルチキャリア／マルチセル技術、及びマルチフロー伝送技術を導入することがさらに望まれる。マルチキャリア／マルチセル技術は、１つのＵＥが、下りリンクの複数の信号を協同的に送信するための、２つ以上のセル（この文書において２つのセルは例として用いられる）により与えられる２つのＨＳＤＰＡを同時に取り入れることを可能にするための、サービングセル及び補助サービングセルというコンセプトを導入し、これにより下りリンクの送信の際のデータ伝送速度をさらに向上させる。一方で、ＵＥは、１つのタイムスロット内で、同時に、サービングセル及び補助サービングセルに対して、ＨＡＲＱ−ＡＣＫ情報を協同でフィードバックするために、サービングセルにより提供される一つのＨＳ−ＤＰＣＣＨチャネルを使用することができる。マルチフロー伝送技術は、マルチキャリア／マルチセル技術の拡張であると考えることができる。最も大きな違いは、マルチキャリア／マルチセル技術は、サービングセル及び補助サービングセルが同じカバレッジ及び同じ下りリンクのチャネルタイミング関係を有することを必要とする一方で、マルチフロー伝送技術は、サービングセル及び補助サービングセルが同じ下りリンクのチャネルタイミング関係を有することを必要としない、ということである。マルチフロー伝送技術は、また、マルチフロー伝送（Ｍｕｌｔｉｆｌｏｗ  Ｔｒａｎｓｍｉｓｓｉｏｎ）、略してＭＦ−Ｔｘとも呼ばれる。
【０００６】
本発明を実施する過程において、発明者らは、従来技術が少なくとも以下の問題を有することを見出した：マルチフロー伝送技術は、サービングセル及び補助サービングセルが同じ下りリンクのチャネルタイミング関係を有することを必要としない一方で、ＵＥは、フィードバックを行うために、同じタイムスロットにおいて、サービングセル及び補助セルの２つのＨＡＲＱ−ＡＣＫ情報を共同で符号化するための同じＨＳ−ＤＰＣＣＨを使用する必要があるため、マルチフロー伝送技術を採用することが望まれる場合であって、サービングセル及び補助セルが、異なる下りリンクのチャネルのタイミングを有する場合において、タイミングの問題が生じることになる。例えば、メッセージの受信状態に対応して、どのようにフィードバックするか、ＵＥが決定できない場合が起こり得る。
【発明の概要】
【発明が解決しようとする課題】
【０００７】
サービングセル及び補助サービングセルが異なる下りリンクのチャネルのタイミングを有する場合、下りリンクのデータをどのように受信し、かつ対応するメッセージの受信状態をどのようにフィードバックするか、ＵＥが決定することができないという問題を解決するために、本発明の複数の実施例は、タイミング基準情報を送信、受信、及び決定するための方法、装置、及びシステムを提供する。技術的解決手段は、以下の通りである：
【課題を解決するための手段】
【０００８】
第１の側面によると、タイミング基準信号を送信する方法が提供される。前記方法は、異なる下りリンクのチャネルのタイミングを有する２つのセルを含む通信システムにおいて用いられ、ここで、前記２つのセルの双方は、下りリンクの送信を行うために、高速ダウンリンクパケットアクセスにおけるハイブリッドＡＲＱプロセスを採用する。前記方法は：携帯端末により通知されるアクセス時間差情報を取得するステップ；前記アクセス時間差情報に従って、タイミング基準情報を生成するステップであって、前記タイミング基準情報は、タイミング基準セルの識別子情報を含む、ステップ；及び前記タイミング基準情報を前記携帯端末に送信するステップ；を含む。
【０００９】
第１の側面の第１の可能な実施方法において、前記アクセス時間差情報に従って、タイミング基準情報を生成するステップは、具体的には：前記アクセス時間差情報に従って、前記２つのセルのサブフレーム対関係を生成するステップ；前記アクセス時間差情報及び前記サブフレーム対関係に従って、前記２つのセルの中の互いに対になった２つのサブフレームの時系列関係を決定するステップ；前記２つのセルのうち、前のセル及び後のセルを決定するステップ；前記前のセルのハイブリッドＡＲＱプロセスのスケジューリング期間に従って、前記前のセル及び前記後のセルのうちの一方を前記タイミング基準セルとし、かつ他方を対になったセルとして決定するステップ；及び前記タイミング基準セルの前記識別子情報に従って、前記タイミング基準情報を生成するステップ；を含む。
【００１０】
前記第１の側面の前記第１の可能な実施方法に関する、第２の可能な実施方法において、前記２つのセルのうち、前のセル及び後のセルを決定するステップは、具体的には：前記２つのセルの中の互いに対になった２つのサブフレームの前記時系列関係に従って、前記２つのセルのうちの前記前のセル及び前記後のセルを決定するステップ；を含む。
【００１１】
前記第１の側面の前記第１の可能な実施方法に関する、第３の可能な実施方法において、前記前のセルのハイブリッドＡＲＱプロセスのスケジューリング期間に従って、前記前のセル及び前記後のセルのうちの一方を前記タイミング基準セルとして、かつ他方を対になったセルとして決定するステップは、具体的には：前記前のセルの前記ハイブリッドＡＲＱプロセスの前記スケジューリング期間は、６サブフレーム期間、７サブフレーム期間、及び８サブフレーム期間のうちの１つであり、前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして、管理ノードにより、決定するステップ；を含む。
【００１２】
前記第１の側面の第１の可能な実施方法に関する、第４の可能な実施方法において、前記前のセルのハイブリッドＡＲＱプロセスのスケジューリング期間に従って、前記前のセル及び前記後のセルのうちの一方を前記タイミング基準セルとして、かつ他方を対になったセルとして決定するステップは、具体的には：前記前のセルの前記ハイブリッドＡＲＱプロセスの前記スケジューリング期間は、６サブフレーム期間、７サブフレーム期間、及び８サブフレーム期間のうちの１つであり、前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして、管理ノードにより、決定するステップ；を含む。
【００１３】
前記第１の側面の前記第１から第４の可能な実施方法のいずれか１つに関する、第５の可能な実施方法において、前記タイミング基準情報を送信する方法は、さらに：前記２つのセルの前記サブフレーム対関係を前記携帯端末に送信するステップ；を含む。
【００１４】
前記第１の側面の前記第１から第４の可能な実施方法のうちのいずれか１つに関する、第６の可能な実施方法において、前記サブフレーム対関係は：前記２つのセルの中の互いに対になった２つのサブフレームのシステムフレーム番号及びサブフレーム番号、又は前記２つのセルの中の互いに対になった第１のサブフレーム及び第２のサブフレームにおける、前記第１のサブフレームのシステムフレーム番号及びサブフレーム番号、及び前記第１のサブフレームと比較しての前記第２のサブフレームについてのシステムフレーム番号オフセット及びサブフレーム番号オフセット、を含む。
【００１５】
前記第１の側面又は前記第１の側面の前記第１から第４の可能な実施方法のうちのいずれか１つに関する、第７の可能な実施方法において、前記タイミング基準情報を送信する方法は、さらに：フィードバック時間表示情報を前記携帯端末に送信するステップであって、前記フィードバック時間表示情報は、事前に定められたタイムスロット長を示すために使用される、ステップ；を含み、前記事前に定められたタイムスロット長の値の範囲は、［７．５タイムスロット−１．５タイムスロット、７．５タイムスロット＋１．５タイムスロット］である。
【００１６】
第２の側面によると、タイミング基準情報を受信する方法が提供される。前記方法は、異なる下りリンクのチャネルタイミングを有する２つのセルを含む通信システムにおいて用いられ、ここで、前記２つのセルの双方は、下りリンクの送信を行うために、高速ダウンリンクパケットアクセスにおけるハイブリッドＡＲＱプロセスを採用する。前記方法は：管理ノードにより送信されるタイミング基準情報を受信するステップ；前記タイミング基準情報に従って、前記２つのセルのうちの１つがタイミング基準セルであることを認識するステップ；及び前記２つのセルの対になったサブフレームを受信し、かつ前記タイミング基準セルの中のサブフレームを受信した後に、事前に定められたタイムスロット長後のハイブリッドＡＲＱ受信確認情報をフィードバックするステップであって、前記ハイブリッドＡＲＱ受信確認情報は、前記２つのセルの中の前記対になったサブフレームについて共同で同時にフィードバックされるハイブリッドＡＲＱ受信確認情報である、ステップ；を含む。
【００１７】
前記第２の側面の第１の可能な実施方法において、前記２つのセルの対になったサブフレームを受信するステップの前に、前記方法は、さらに：前記管理ノードにより送信される、前記２つのセルのサブフレーム対関係を受信するステップ；及び対応して、前記２つのセルの対になったサブフレームを受信するステップの前に、前記方法は、具体的には：前記２つのセルの前記受信されたサブフレーム対関係に従って、前記２つのセルの前記対になったサブフレームを受信するステップ；を含む。
【００１８】
前記第２の側面又は前記第２の側面の前記第１の可能な実施方法に関する、第２の可能な実施方法において、前記タイミング基準情報を受信する方法は、さらに：前記事前に定められたタイムスロット長を取得するために、前記管理ノードにより送信されたフィードバック時間表示情報を受信及び解析するステップ；を含み、前記事前に定められたタイムスロット長の値の範囲は、［７．５タイムスロット−１．５タイムスロット、７．５タイムスロット＋１．５タイムスロット］である。
【００１９】
第３の側面によると、タイミング基準情報を決定する方法が提供される。前記方法は、異なる下りリンクのチャネルのタイミングを有する２つのセルを含む通信システムにおいて用いられ、ここで、前記２つのセルの双方は、下りリンクの送信を行うために、高速ダウンリンクパケットアクセスにおけるハイブリッドＡＲＱプロセスを採用する。前記方法は：前記２つのセルの中の互いに対になった２つのサブフレームの時系列関係に従って、前記２つのセルのうちの前のセル及び後のセルを決定するステップ；及び前記前のセルのハイブリッドＡＲＱプロセスのスケジューリング期間に従って、前記前のセル及び前記後のセルのうちの一方をタイミング基準セルとして、かつ他方を対になったセルとして決定するステップ；を含む。
【００２０】
前記第３の側面の第１の可能な実施方法において、前記前のセルのハイブリッドＡＲＱプロセスのスケジューリング期間に従って、前記前のセル及び前記後のセルのうちの一方をタイミング基準セルとして、かつ他方を対になったセルとして決定するステップは、具体的には：前記前のセルの前記ハイブリッドＡＲＱプロセスの前記スケジューリング期間は、６サブフレーム期間、７サブフレーム期間、及び８サブフレーム期間のうちの１つであり、前記前のセルの前記ハイブリッドＡＲＱプロセスの前記スケジューリング期間が前記６サブフレーム期間であった場合に、前記前のセルを前記タイミング基準セルとし、かつ前記後のセルを前記対になったセルとして決定するステップ；を含む。
【００２１】
前記第３の側面の第２の可能な実施方法において、前記前のセルのハイブリッドＡＲＱプロセスのスケジューリング期間に従って、前記前のセル及び前記後のセルのうちの一方をタイミング基準セルとして、かつ他方を対になったセルとして決定するステップは、具体的には：前記前のセルの前記ハイブリッドＡＲＱプロセスの前記スケジューリング期間は、６サブフレーム期間、７サブフレーム期間、及び８サブフレーム期間のうちの１つであり、前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして決定するステップ；を含む。
【００２２】
第４の側面によると、無線ネットワークコントローラが提供される。前記無線ネットワークコントローラは、異なる下りリンクのチャネルタイミングを有する２つのセルを含む通信システムにおいて用いられ、ここで、前記２つのセルの双方は、下りリンクの送信を行うために、高速ダウンリンクパケットアクセスにおけるハイブリッドＡＲＱプロセスを採用する。前記無線ネットワークコントローラは：携帯端末により通知されるアクセス時間差情報を取得するように構成されるアクセス時間取得モジュール；前記アクセス時間差情報に従って、タイミング基準情報を生成するように構成されるタイミング基準決定モジュールであって、前記タイミング基準情報は、タイミング基準セルの識別子情報を含む、タイミング基準決定モジュール；及び前記携帯端末に前記タイミング基準情報を送信するように構成されるタイミング基準送信モジュール；を備える。
【００２３】
前記第４の側面の第１の可能な実施方法において、前記タイミング基準決定モジュールは、具体的には：対関係生成部、時間関係決定部、セル関係決定部、タイミング基準決定部、及び基準情報生成部を含み、ここで：前記対関係生成部は、前記アクセス時間差情報に従って、前記２つのセルのサブフレーム対関係を生成するように構成され；前記時間関係決定部は、前記アクセス時間差情報及び前記サブフレーム対関係に従って、前記２つのセルの中の互いに対になった２つのサブフレームの時系列関係を決定するように構成され；前記セル関係決定部は、前記２つのセルのうち、前のセル及び後のセルを決定するように構成され；前記タイミング基準決定部は、前記前のセルのハイブリッドＡＲＱプロセスのスケジューリング期間に従って、前記前のセル及び前記後のセルのうちの一方を前記タイミング基準セルとし、かつ他方を対になったセルとして決定するように構成され；かつ前記基準情報生成部は、前記タイミング基準セルの前記識別子情報に従って、前記タイミング基準情報を生成するように構成される。
【００２４】
前記第４の側面の前記第１の可能な実施方法に関する、第２の可能な実施方法において、前記セル関係決定部は、具体的には、前記２つのセルの中の互いに対になった２つのサブフレームの前記時系列関係に従って、前記２つのセルのうちの前記前のセル及び前記後のセルを決定するように構成される。
【００２５】
前記第４の側面の前記第１の可能な実施方法に関する、第３の可能な実施方法において、前記タイミング基準決定部は、具体的には：第１決定サブユニット；を含み、ここで：前記前のセルの前記ハイブリッドＡＲＱプロセスの前記スケジューリング期間は、６サブフレーム期間、７サブフレーム期間、及び８サブフレーム期間のうちの１つであり；かつ前記第１決定サブユニットは、前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして決定するように構成される。
【００２６】
前記第４の側面の前記第１の可能な実施方法に関する、第４の可能な実施方法において、前記タイミング基準決定部は、具体的には：第２決定サブユニット；を含み、ここで：前記前のセルの前記ハイブリッドＡＲＱプロセスの前記スケジューリング期間は、６サブフレーム期間、７サブフレーム期間、及び８サブフレーム期間のうちの１つであり；かつ前記第２決定サブユニットは、前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして決定するように構成される。
【００２７】
前記第４の側面の前記第１から第４の可能な実施方法のうちのいずれか１つに関する、第５の可能な実施方法において、前記無線ネットワークコントローラは、さらに：前記２つのセルの前記サブフレーム対関係を前記携帯端末に送信するように構成される、対関係送信モジュール；を含む。
【００２８】
前記第４の側面の前記第１から第４の可能な実施方法のうちのいずれか１つに関する、第６の可能な実施方法において、前記無線ネットワークコントローラは、さらに：フィードバック時間表示情報を前記携帯端末に送信するように構成される表示情報送信モジュールであって、前記フィードバック時間表示情報は、事前に定められたタイムスロット長を示すために使用される、表示情報送信モジュール、を含み、前記事前に定められたタイムスロット長の値の範囲は、［７．５タイムスロット−１．５タイムスロット、７．５タイムスロット＋１．５タイムスロット］である。
【００２９】
前記第４の側面の前記第１から第４の可能な実施方法のうちのいずれか１つに関する、第７の可能な実施方法において、前記対関係生成部により生成される前記サブフレーム対関係は：前記２つのセルの中の互いに対になった２つのサブフレームのシステムフレーム番号及びサブフレーム番号；又は前記２つのセルの中の互いに対になった第１のサブフレーム及び第２のサブフレームにおける、前記第１のサブフレームのシステムフレーム番号及びサブフレーム番号、及び前記第２のサブフレームについての前記第１のサブフレームと比較してのシステムフレーム番号オフセット及びサブフレーム番号オフセット、を含む。
【００３０】
第５の側面によると、携帯端末が提供される。前記携帯端末は、異なる下りリンクのチャネルタイミングを有する２つのセルを含む通信システムにおいて用いられ、ここで、前記２つのセルの双方は、下りリンクの送信を行うために、高速ダウンリンクパケットアクセスにおけるハイブリッドＡＲＱプロセスを採用する。前記携帯端末は：タイミング基準情報を受信するように構成される基準情報受信モジュール；前記タイミング基準情報に従って、前記２つのセルのうちの１つがタイミング基準セルであることを認識するように構成される基準情報分析モジュール；前記２つのセルの対になったサブフレームを受信するように構成されるサブフレーム対受信モジュール；及び前記タイミング基準セルの中のサブフレームを受信した後に、事前に定められたタイムスロット長後のハイブリッドＡＲＱ受信確認情報をフィードバックするように構成される受信情報フィードバックモジュールであって、前記ハイブリッドＡＲＱ受信確認情報は、前記２つのセルの中の前記対になったサブフレームについて共同で同時にフィードバックされるハイブリッドＡＲＱ受信確認情報である、受信情報フィードバックモジュール；を備える。
【００３１】
前記第５の側面の第１の可能な実施方法において、前記携帯端末は、さらに：前記２つのセルのサブフレーム対関係を受信するように構成される対関係受信モジュール；を備え、かつ、対応して、前記対関係受信モジュールは、具体的には、前記対関係受信モジュールにより受信された前記２つのセルの前記サブフレーム対関係に従って、前記２つのセルの前記対になったサブフレームを受信するように構成される。
【００３２】
前記第５の側面又は前記第５の側面の前記第１の可能な実施方法に関する、第２の可能な実施方法において、前記携帯端末は、さらに：前記事前に定められたタイムスロット長を取得するために、フィードバック時間表示情報を受信及び解析するように構成される表示情報受信モジュール；を含み、前記事前に定められたタイムスロット長の値の範囲は、［７．５タイムスロット−１．５タイムスロット、７．５タイムスロット＋１．５タイムスロット］である。
【００３３】
第６の側面によると、携帯端末が提供される。前記携帯端末は、異なる下りリンクのチャネルタイミングを有する２つのセルを含む通信システムにおいて用いられ、ここで、前記２つのセルの双方は、下りリンクの送信を行うために、高速ダウンリンクパケットアクセスにおけるハイブリッドＡＲＱプロセスを採用する。前記携帯端末は：前記２つのセルのうちの前のセル及び後のセルを決定するように構成されるセル関係決定モジュール；前記前のセルのハイブリッドＡＲＱプロセスのスケジューリング期間に従って、前記前のセル及び前記後のセルのうちの一方をタイミング基準セルとして、かつ他方を対になったセルとして決定するように構成されるタイミング基準決定モジュール；及び前記タイミング基準セルの中のサブフレームを受信した後に、事前に定められたタイムスロット長後のハイブリッドＡＲＱ受信確認情報をフィードバックするように構成される受信情報フィードバックモジュールであって、前記ハイブリッドＡＲＱ受信確認情報は、前記２つのセルの中の２つの対になったサブフレームについて共同で同時にフィードバックされるハイブリッドＡＲＱ受信確認情報である、受信情報フィードバックモジュール；を備える。
【００３４】
前記第６の側面の第１の可能な実施方法において、前記セル関係決定モジュールは、具体的には、前記２つのセルの中の前記互いに対になった２つのサブフレームの時系列関係に従って、前記２つのセルのうちの前記前のセル及び前記後のセルを決定するように構成される。
【００３５】
前記第６の側面の第２の可能な実施方法において、前記タイミング基準決定モジュールは、具体的には：第１決定部；を含み、ここで：前記前のセルの前記ハイブリッドＡＲＱプロセスの前記スケジューリング期間は、６サブフレーム期間、７サブフレーム期間、及び８サブフレーム期間のうちの１つであり；かつ前記第１決定部は、前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして決定するように構成される。
【００３６】
前記第６の側面の第３の可能な実施方法において、前記タイミング基準決定モジュールは、具体的には：第２決定部；を含み、ここで：前記前のセルの前記ハイブリッドＡＲＱプロセスの前記スケジューリング期間は、６サブフレーム期間、７サブフレーム期間、及び８サブフレーム期間のうちの１つであり；かつ前記第２決定部は、前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして決定するように構成される。
【００３７】
前記第６の側面又は前記第６の側面の前記第１から第３の可能な実施方法のいずれか１つに関する、第４の可能な実施方法において、前記携帯端末は、さらに：アクセス情報取得モジュール及び第１時間関係決定モジュールを含み、ここで：前記アクセス情報取得モジュールは、前記２つのセルのアクセス時間差情報を取得するように構成され；かつ前記第１時間関係決定モジュールは、前記アクセス時間差情報に従って、前記２つのセルの中の前記互いに対になった２つのサブフレームの前記時系列関係を決定するように構成される。
【００３８】
前記第６の側面又は前記第６の側面の前記第１から第３の可能な実施方法のうちのいずれか１つに関する、第５の可能な実施方法において、前記携帯端末は、さらに：対関係受信モジュール、受信時間取得モジュール、及び第２時間関係決定モジュールを含み、ここで：前記対関係受信モジュールは、前記２つのセルのサブフレーム対関係を取得するように構成され；前記受信時間取得モジュールは、前記２つのセルの中の前記互いに対になった２つのサブフレームの受信時間を取得するように構成され；かつ前記第２時間関係決定モジュールは、前記サブフレーム対関係及び前記取得時間に従って、前記２つのセルの中の前記互いに対になった２つのサブフレームの前記時系列関係を決定するように構成される。
【００３９】
前記第６の側面の前記第５の可能な実施方法に関する、第６の可能な実施方法において、前記サブフレーム対関係は：前記２つのセルの中の互いに対になった２つのサブフレームのシステムフレーム番号及びサブフレーム番号；又は前記２つのセルの中の互いに対になった第１のサブフレーム及び第２のサブフレームにおける、前記第１のサブフレームのシステムフレーム番号及びサブフレーム番号、及び前記第１のサブフレームと比較しての前記第２のサブフレームについてのシステムフレーム番号オフセット及びサブフレーム番号オフセット、を含む。
【００４０】
第７の側面によると、通信システムが提供される。前記システムは、前記第４の側面又は前記第４の側面の全ての可能な実施方法のうちのいずれか１つに従う前記無線ネットワークコントローラ、及び前記第５の側面又は前記第５の側面の全ての可能な実施方法のうちのいずれか１つに従う前記携帯端末を含む。
【００４１】
本発明の複数の実施例により提供される複数の技術的解決手段は、以下の有益な効果をもたらす：
【００４２】
異なるダウンリンクチャネルタイミングの２つのセルのうちの１つをタイミング基準セルと決定する技術的解決手段及びタイミング基準セルをＨＡＲＱ−ＡＣＫ情報をフィードバックするための基準として使用することにより、サービングセル及び補助サービングセルの２つのＨＡＲＱ−ＡＣＫ情報を共同でフィードバックするために、ＵＥが同じＨＳ−ＤＰＣＣＨを使用する場合において遭遇するタイミングの問題が解決される。ＵＥ側及びノードＢ側で処理時間を短縮又は延長する技術的手段に関連して、異なる下りリンクのチャネルタイミングを有する２つのセルにおいて、ＵＥがマルチフロー伝送技術を使用することを可能にするという技術的効果が達成される。
【図面の簡単な説明】
【００４３】
本発明の複数の実施例における複数の技術的解決手段をより明確に説明するために、以下において、複数の実施例を説明するために必要な添付図面を簡潔に紹介する。明らかに、以下の説明における添付図面は、単に、本発明のいくつかの実施例を示すだけであり、そして当業者は、創造的努力なしで、これらの添付図面からさらに他の図面を導き出すことができる。
【００４４】
【図１】ＨＡＲＱプロセスのスケジューリングプロセスにおいてＨＳＤＰＡにより導入される３つのタイプのチャネルのタイミング関係の図である。
【００４５】
【図２Ａ】マルチセル通信システムの部分概略構成図である。
【００４６】
【図２Ｂ】他のマルチセル通信システムの部分概略構成図である。
【００４７】
【図３】本発明の実施例１に従う、タイミング方法のフローチャートである。
【００４８】
【図４】本発明の実施例２に従う、タイミング基準決定方法のフローチャートである。
【００４９】
【図５Ａ】本発明の実施例３に従う、タイミング方法のフローチャートである。
【００５０】
【図５Ｂ】実行中の本発明の実施例３に従うタイミング方法の実行中の関連するタイミング関係の図である。
【００５１】
【図６Ａ】本発明の実施例４に従う通信システムの構成ブロック図である。
【００５２】
【図６Ｂ】実行中の本発明の実施例４に従う通信システムの実行中の関連するタイミング関係の図である。
【００５３】
【図７】本発明の実施例４に従う、タイミング基準決定モジュールの構成ブロック図である。
【００５４】
【図８Ａ】本発明の実施例５に従う、携帯端末の構造ブロック図である。
【００５５】
【図８Ｂ】実行中の本発明の実施例５に従う、携帯端末の実行中の関連するタイミング関係の図である。
【００５６】
【図９】本発明の実施例６に従う携帯端末の部分構成ブロック図である。
【００５７】
【図１０】本発明の実施例７に従う、携帯端末の部分構成ブロック図である。
【発明を実施するための形態】
【００５８】
本発明の複数の目的、複数の技術的解決手段、及び複数の利点をより分かり易くするために、以下において、添付図面を参照することにより、本発明の複数の実施方法を説明する。
【００５９】
説明を容易にするために、ＨＡＲＱプロセスのスケジューリングプロセスにおいて、ＨＳＤＰＡ技術により導入された３種類のチャネルのタイミング関係図である図１を、まず参照する。図１において、２５６０チップは、１タイムスロットを形成し、３つのタイムスロットは、１つのサブフレームを形成し、５つのサブフレームは、１つの無線フレームを形成し、１つのサブフレームの時間間隔は、１つの送信時間間隔（Ｔｒａｎｓｍｉｓｓｉｏｎ  Ｔｉｍｅ  Ｉｎｔｅｒｖａｌ、ＴＴＩと略す）であり、かつ１つのセルは、１つの送信時間間隔において、ＵＥに対して、１つ又は２つのデータブロックを送信する（マルチインプット・マルチアウトプットのデュアルフロー送信の場合、２つのデータブロックが送信される）ということが、まず理解されるべきである。基地局がＵＥに対して下りリンクの信号を送信する必要がある場合、当該下りリンクの信号は、複数のデータブロックに分割されてもよい。複数のデータブロックのうちの１つが送信される状況が図１に示されている、ということが仮定される。ＨＳ−ＳＣＣＨチャネルの最初のサブフレームは、データブロックの復調及び復号化のための関連するシグナリング等を含む制御信号である。ＨＳ−ＤＰＣＣＨチャネルの最初のサブフレームは、データブロックの実際のデータ信号を含む。データ信号を処理するために、まず、ＵＥが制御信号を取得することができるようにするために、ＨＳ−ＳＣＣＨチャネルにおけるサブフレームは、ＨＳ−ＰＤＳＣＨチャネルの対応するサブフレームよりも、２タイムスロットだけ早く送信されるべきであるということを、関連するプロトコルは規定する。このように、まず、ＵＥは制御信号を受信して、そしてその後、データ信号を取得した場合に、受信した制御信号に従って、対応する復調及び復号化及びその他の動作を実行する。ＵＥがデータ信号を処理するためのプロセス全体を完了するためには、ある程度時間がかかる。このため、一般にＵＥは、ＨＳ−ＰＤＳＣＨチャネルの中の最初のサブフレームが受信されてから７．５タイムスロット後（図１の時間Ｔ１）に、ノードＢにＨＡＲＱ−ＡＣＫ情報及びＣＱＩ情報をフィードバックするために、ＨＳ−ＤＰＣＣＨチャネルを用いる。ここで、ＨＡＲＱ−ＡＣＫ情報は、１タイムスロットの長さを占有し、そしてＣＱＩ（Ｃｈａｎｎｅｌ  Ｑｕａｌｉｔｙ  Ｉｎｄｉｃａｔｏｒ、チャネル品質インジケータ）は、２つのタイムスロットの長さを占有する。その後、ＵＥからフィードバックされた情報に従って、セルは、次のデータブロックの送信のスケジューリングを開始する。具体的には、ＨＡＲＱプロセスのスケジューリングの期間全体は、一般的に、６つのサブフレームの長さであり、すなわち、一般に、セルは、プロセスのデータブロックを送信した後、６つのサブフレームに対応する時間後に、当該プロセスの次のデータブロックを送信する。従って、ＨＡＲＱ−ＡＣＫ情報を受信した後、ノードＢは、（スケジューリング期間により占有される複数のタイムスロット−制御信号のタイムスロットの進み−データ信号により占有される複数のタイムスロット−ＵＥの処理時間−ＡＣＫ情報により占有される複数のタイムスロット）＝６つのサブフレーム×３��のタイムスロット−２つのタイムスロット−１つのサブフレーム×３つのタイムスロット−７．５タイムスロット−１タイムスロット＝４．５タイムスロット以内に、次のデータブロックを送信するための準備を整える必要があるということが計算されてもよく、つまり、ノードＢは、図１の時刻Ｔ２において、次のデータブロックの送信を開始する。
【００６０】
さらに、マルチセル通信システムの部分的概略構成図である図２Ａを参照する。通信システムは、ＲＮＣ（Ｒａｄｉｏ  Ｎｅｔｗｏｒｋ  Ｃｏｎｔｒｏｌｌｅｒ、無線ネットワークコントローラ）、ノードＢ、及び当該ノードＢにより制御される第１のセルと第２のセルを含む。第１のセルはサービングセルであってもよく、かつ第２のセルは補助サービングセルであってもよい。第１のセル及び第２のセルの動作周波数／搬送波は、同じであってもよいし、或いは異なってもよい。共同でデータを送信するために、ＵＥは、第１のセル及び第２のセルにより提供される２つのＨＳＤＰＡを同時に使用してもよく、これにより下りリンクの送信の際の伝送速度が向上する。
【００６１】
さらに、マルチセル通信システムの部分的概略構成図である図２Ｂを参照する。通信システムは、ＲＮＣ、当該ＲＮＣにより制御される第１の基地局であるノードＢ１及び第２の基地局であるノードＢ２、及びノードＢ１により制御される第１のセルとノードＢ２により制御される第２のセルをさらに含む。第１のセルはサービングセルであってもよく、かつ第２のセルは補助サービングセルであってもよい。第１のセル及び第２のセルの動作周波数／搬送波は同じであってもよく、或いは異なってもよい。共同でデータを送信するために、ＵＥは、第１のセル及び第２のセルにより提供される２つのＨＳＤＰＡを使用してもよく、これにより、下りリンクの送信の際の伝送速度が向上する。
【００６２】
また、異なる複数の実施例において、サービングセル及び補助サービングセルは、プライマリサービングセル／補助サービングセル、プライマリセル／セカンダリセル、又は補助されるセル／補助するセル、と呼ばれてもよい。マルチキャリア／マルチセル技術において、サービングセルは、ＨＳ−ＳＣＣＨチャネル、ＨＳ−ＰＤＳＣＨチャネル、ＨＳ−ＤＰＣＣＨチャネル、ＣＰＩＣＨチャネル（Ｃｏｍｍｏｎ  Ｐｉｌｏｔ  Ｃｈａｎｎｅｌ、共通パイロットチャネル）を送信する一方で、補助セルは、ＨＳ−ＳＣＣＨチャネル、ＨＳＤＰＡデータ伝送に用いられるＨＳ−ＰＤＳＣＨ、及びチャネル推定及び測定等に用いられるＣＰＩＣＨチャネルだけを送信する。データ信号を共同で送信するために、ＵＥがサービングセル及び補助サービングセルの２つのＨＳ−ＰＤＳＣＨチャネルを使用する場合、サービングセルの中の１つのＨＳ−ＤＰＣＣＨチャネルは、受信状態をフィードバックするために用いられる。サービングセル及び補助セービングセルが同じ下りリンクのチャネルのタイミングを有する場合、ＵＥは、同じタイムスロット内で、サービングセル及び補助サービングセルの中の対になったサブフレームのＨＡＲＱ−ＡＣＫ情報を共同で符号化することだけが必要であり、そしてその後、ＨＡＲＱ−ＡＣＫ情報をフィードバックするために、サービングセルの中のＨＳ−ＤＰＣＣＨチャネルを使用する。サービングセル及び補助サービングセルは、それら自身の必要なフィードバック情報を取得するために、サービングセルの中のＨＳ−ＤＰＣＣＨチャネルの中の同じＨＡＲＱ−ＡＣＫ情報を同時に解析してもよい。マルチフロー技術が用いられる場合、すなわち、サービングセル及び補助サービングセルが異なる下りリンクのチャネルのタイミングを有する場合、異なる下りリンクのチャネルのタイミングに起因するタイミングの問題を解決するために、本発明の複数の実施例により提供されるタイミング方法及びタイミングフィードバック方法を使用することができる。
【００６３】
実施例１
本発明の実施例１により提供されるタイミング方法のフローチャートである図３を参照する。このタイミング方法は、図２Ａ又は図２Ｂに示される通信システムにおいて用いられてもよい。通信システムは、異なる下りリンクのチャネルのタイミングを有する２つのセルを含んでもよく、ここで、２つのセルの双方は、下りリンクの送信を実行するために、高速ダウンリンクパケットアクセスを採用している。確かに、当業者は、このタイミング方法を、デュアル・キャリア−デュアル・セル（ｄｕａｌ−ｃａｒｒｉｅｒ  ｄｕａｌ−ｃｅｌｌ）シナリオ又はデュアル・キャリア−４セル（ｄｕａｌ−ｃａｒｒｉｅｒ  ｆｏｕｒ−ｃｅｌｌ）シナリオにおいても使用できると、容易に考えることができる。このタイミング方法は、以下を含んでもよい：
【００６４】
ステップ３０２：管理ノードは、携帯端末にタイミング基準情報を送信する。
【００６５】
管理ノードは、ＲＮＣであってもよい。下りリンクのデータが送信される前に、管理ノードは、タイミング基準情報をＵＥに送信してもよい。一般に、タイミング基準情報は、上記の２つのセルのタイミング基準セルとしての役割を果たす１つのセルの識別子情報を含み、ここで、識別子情報は、セルのシーケンス番号であってもよく、かつ当該シーケンス番号は負でない整数である。
【００６６】
ステップ３０４：タイミング基準情報に従って、携帯端末は、２つのセルのうちの１つがタイミング基準セルであることを認識する。
【００６７】
受信したタイミング基準情報に従って、ＵＥは、２つのセルの内の１つがタイミング基準セルであり、かつ他方が対になったセルであることを認識してもよい。例えば、タイミング基準情報の中の識別子情報がサービングセルのシーケンス番号である場合、ＵＥは、サービングセルがタイミング基準セルであり、かつ補助サービングセルが対になったセルであることを知ることができる。
【００６８】
ステップ３０６：携帯端末は、２つのセルの対になったサブフレームを受信し、タイミング基準セルの中のサブフレームを受信した後、事前に定められたタイムスロット長の後のハイブリッドＡＲＱ受信確認情報をフィードバックする。ここで、ハイブリッドＡＲＱ受信確認情報は、２つのセルの中の対になったサブフレームについて共同で同時にフィードバックされるハイブリッドＡＲＱ受信確認情報である。
【００６９】
ＵＥは、下りリンクのチャネル、すなわち、下りリンクの信号、を介して２つのセルにより送信される対になったサブフレームを受信してもよい。下りリンクの信号を共同で送信するために、ＵＥがサービングセル及び補助サービングセルの２つのＨＳ−ＰＤＳＣＨチャネルを同時に使用する場合、サービングセルのＨＳ−ＰＤＳＣＨチャネルの中で送信される１つのサブフレームと、補助サービングセルのＨＳ−ＰＤＳＣＨの中で送信される他のサブフレームとは、互いに対になったサブフレームである。サービングセル及び補助サービングセルが同じ下りリンクのタイミングを有する場合、２つのサブフレームは、同時に、ＵＥ側に対して送信されるべきである。サービングセル及び補助サービングセルが異なる下りリンクのタイミングを有する場合、一般に、２つのセブフレームは、同時には、ＵＥに対して送信されない、つまり、まず、１つのサブフレームがＵＥに対して送信され、その一方で、遅延の後に、対になったサブフレームの他方がＵＥ側に送信される。タイミング基準セルの中のサブフレームを受信した後、ＵＥは、事前に定められたタイムスロット長の後のＨＡＲＱ−ＡＣＫ情報をフィードバックする必要がある。ここで、ＨＡＲＱ−ＡＣＫ情報は、２つのセルの中の対になったサブフレームについて、共同で同時にフィードバックされるＨＡＲＱ−ＡＣＫ情報である。
【００７０】
要約すると、異なる下りリンクのチャネルのタイミングを有する２つのセルの中の１つをタイミング基準セルとして決定し、かつタイミング基準セルをＨＡＲＱ−ＡＣＫ情報をフィードバックするための基準として使用する技術的手段により、実施例１により提供されるタイミング方法は、ＵＥが、サービングセル及び補助サービングセルの２つのＨＡＲＱ−ＡＣＫ情報を共同でフィードバックするために同じＨＳ−ＤＰＣＣＨを使用する場合に発生するタイミング問題を解決する。ＵＥ側及びノードＢ側において処理時間を短縮又は延長する技術的手段に関して、ＵＥが、２つのセルの中のマルチフロー伝送技術を使用することを可能にするという技術的効果が達成される。
【００７１】
実施例２
２つのセルのうちの１つをタイミング基準セルとして決定するために、本発明の実施例２により提供されるタイミング基準決定方法を示す図４を参照する。タイミング基準決定方法は、図２Ａ又は図２Ｂに示される通信システムにおいて使用されてもよい。通信システムは、異なる下りリンクのチャネルのタイミングを有する２つのセルを含んでもよく、ここで、２つのセルの双方は、下りリンクの送信を実行するために、高速ダウンリンクパケットアクセスを採用している。確かに、当業者は、このタイミング基準決定方法を、デュアル・キャリア−デュアル・セル・シナリオ又はデュアル・キャリア−４セル・シナリオにおいても使用できると、容易に考えることができる。このタイミング基準決定方法は、以下を含んでもよい：
【００７２】
ステップ４０２：２つのセルの中の互いに対になった２つのサブフレームの時系列関係に従って、２つのセルの中の前のセル及び後のセルを決定する。
【００７３】
データ信号を共同で送信するために、ＵＥが、同時に、サービングセル及び補助サービングセルの２つのＨＳ−ＰＤＳＣＨチャネルを使用する場合、サービングセルのＨＳ−ＰＤＳＣＨチャネルにおいて送信される１つのサブフレームと、補助サービングセルのＨＳ−ＰＤＳＣＨの中で送信される他のサブフレームとは、互いに対になったサブフレームである。２つのサブフレームの時系列関係に従って、時間的に前のサブフレームが存在するセルは、前のセルとして定められ、その一方で、時間的に後のサブフレームが存在するセルは、後のセルとして定められる。
【００７４】
ステップ４０４：前のセルのハイブリッドＡＲＱのスケジューリング期間に従って、前のセル及び後のセルのうちの１つをタイミング基準セルと決定し、かつ他方を対になったセルと決定する。
【００７５】
ＨＡＲＱプロセスのスケジューリング期間は、セルが、ＨＳ−ＰＤＳＣＨチャネルの中のプロセスのデータ信号のサブフレームの送信を開始する時からセルがプロセスのデータ信号の次のサブフレームの送信を続ける時までの期間として理解されてもよい。一般的に言えば、ＨＡＲＱプロセスのスケジューリング期間は、６サブフレーム期間、７サブフレーム期間、及び８サブフレーム期間のうちのいずれか１つであってもよい。各セルにより使用されるＨＡＲＱプロセスのスケジューリング期間は、一般に、固定されている（ＲＮＣが再構成を実行しない限り）。前のセル及び後のセルにより採用されるＨＡＲＱプロセスのスケジューリング期間は、異なってもよい。前のセルのＨＡＲＱプロセスのスケジューリング期間に従って、前のセル及び後のセルのうちの１つは、タイミング基準セルとして定められてもよく、かつ他方は、対になったセルとして定められてもよい。決定の際に、選択は、事前に定められたポリシーに従って、行われてもよい。事前に定められたポリシーは、以下の通りであってもよい：他のセルのＨＡＲＱプロセスのスケジューリング期間が６サブフレーム期間であった場合、前のセルはタイミング基準セルとして決定され、かつ後のセルは対になったセルとして決定される；前のセルのＨＡＲＱプロセスのスケジューリング期間が７サブフレーム期間又は８サブフレーム期間であった場合、後のセルはタイミング基準セルとして決定され、前のセルは対になったセルとして決定される。ＵＥ側及びノードＢ側の処理時間が短縮される場合、事前に定められるポリシーは、ＵＥ側及びノードＢ側がそれらの作業を完了するのに十分な処理時間を与えることを主に意図する。
【００７６】
要約すると、実施例２により提供されるタイミング基準決定方法は、２つのセルのうちの１つをタイミング基準セルとして適切に決定することができる。また、タイミング基準決定方法を使用することにより、タイミング基準セルが決定された後、ＵＥ側及びノードＢ側における処理時間が短縮される場合、ＵＥ側及びノードＢ側は、それらの作業を完了するのに十分は処理時間を有することができる、ということが保証されてもよい。
【００７７】
タイミング基準決定方法は、ＲＮＣ等の管理ノードにより実行されてもよく、さらにまた、ＵＥ自身により実行されてもよいということに注意すべきである。一般に、タイミング基準決定方法は、管理ノードにより実行される。本発明の全ての態様を説明するために、以下において、異なる複数の実行環境に関連して、異なる複数の実施例を詳細に説明する。
【００７８】
実施例３
この実施例における具体的な実施シナリオは、以下の通りであることが仮定される：２つのセルのＨＡＲＱプロセスのスケジューリング期間双方は、６サブフレーム期間であり、かつ対になったサブフレームの間の遅延は、１．５タイムスロットである。タイミング基準セルを決定する処理は、管理ノードにより実行される。
【００７９】
本発明の実施例３により提供されるタイミング方法のフローチャートである図５Ａを参照する。タイミング方法は、図２Ａ又は図２Ｂに示される通信システムにおいて用いられてもよい。通信システムは、異なる下りリンクのチャネルのタイミングを有する２つのセルを含んでもよく、ここで、２つのセル双方は、下りリンクの送信を実行するための高速ダウンリンクパケットアクセスを採用する。確かに、当業者は、このタイミング基準決定方法を、デュアル・キャリア−デュアル・セル・シナリオ又はデュアル・キャリア−４セル・シナリオにおいても使用できると、容易に考えることができる。タイミング方法は以下を含んでもよい：
【００８０】
ステップ５０１：管理ノードは、携帯端末により通知されるアクセス時間差情報を取得する。
【００８１】
アクセス時間差情報、すなわち、ＳＦＮ−ＳＦＮ観測時間差は、Ｐ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ、プライマリ共通制御物理チャネル）のＳＦＮ情報に従って取得される。ＵＥは、アクセス時間差を観測し、かつそれをＲＮＣに通知してもよい。アクセス時間差の具体的な値は、一般に、チップレベルの単位を使用して表され、かつ２つのセルのタイミングの差分が表されてもよい。
【００８２】
ステップ５０２：管理ノードは、アクセス時間差情報に従って、２つのセルのサブフレーム対関係を生成する。
【００８３】
ＲＮＣは、ＵＥにより通知されるアクセス時間差情報に従って、２つのセルのサブフレーム対関係を生成する。下りリンクの信号を共同で送信するために２つのセルを使用する必要があるため、２つのセルが別々にＵＥに対して送信するサブフレームは、互いに対になっている。具体的には、本文書における、サブフレーム対関係の具体的な内容は、次のいずれかの形式であってもよい：第１に、２つのセルの中の相互の２つのサブフレームのシステムフレーム番号及びサブフレーム番号；及び第２に、２つのセルの中の互いに対になった第１のサブフレーム及び第２のサブフレームにおける、第１のサブフレームのシステムフレーム番号及びサブフレーム番号、及び第１のサブフレームと比較しての第２のサブフレームについてのシステムフレーム番号オフセット及びサブフレーム番号オフセット。ここにおいて、システムフレーム番号オフセット及びサブフレーム番号オフセットの双方は、整数である。２つの対になったサブフレームは、ＨＳ−ＳＣＣＨチャネルにおける互いに対になった２つのサブフレームであってもよく、かつまたＨＳ−ＰＤＳＣＨチャネルの中の互いに対になった２つのサブフレームであってもよい。
【００８４】
ステップ５０３：管理ノードは、アクセス時間差情報及びサブフレーム対関係に従って、２つのセルの中の互いに対になったフレームの時系列関係を決定する。
【００８５】
サブフレーム対関係を決定した後、ＲＮＣは、アクセス時間差情報及びサブフレーム対関係に従って、２つのセルの中の互いに対になった２つのサブフレームの時系列関係を決定してもよい。例えば、互いに対になった２つのサブフレームの時系列関係は、１つのサブフレームは、他のサブフレームよりも１．５タイムスロットだけ早いということである。説明を容易にするために、実施例における各種チャネル間のタイミング関係を示す図５Ｂを参照する。ＨＳ−ＳＣＣＨ１チャネル及びＨＳ−ＰＤＳＣＨ１チャネルは１つのセルに属し、一方で、ＨＳ−ＳＣＣＨ２チャネル及びＨＳ−ＰＤＳＣＨ２チャネルは他のセルに属すことが仮定される。ＨＳ−ＤＰＣＣＨチャネルは、２つのセルの中のサービングセルにより送信される上りリンクのフィードバックチャネルである。前述の説明から、ＨＳ−ＳＣＣＨ１チャネルの中の第１のサブフレーム５１２は、ＨＳ−ＰＤＳＣＨ１チャネルの中の第１のサブフレーム５１４を復号化するための制御信号を送信するために用いられ、かつ従って、２タイムスロットだけ先に送信される必要があるということが理解され得る。同様に、ＨＳ−ＳＣＣＨ２チャネルの中の第１のサブフレーム５２２は、ＨＳ−ＰＤＳＣＨ２チャネルの中の第１のサブチャネル５２４を復号化するための制御チャネルを送信するために用いられ、そして従って、また、２タイムスロットだけ先に送信される必要がある。サブフレーム対関係を決定した後、ＲＮＣは、ＨＳ−ＳＣＣＨ１チャネルの中の第１のサブフレーム５１２及びＨＳ−ＳＣＣＨ２チャネルの中の第１のサブフレーム５２２を、互いに対になったサブフレームとして決定し、そしてその後、アクセス時間差情報に従って、ＨＳ−ＳＣＣＨ１チャネルの中の第１のサブフレーム５１２が、ＨＳ−ＳＣＣＨ２チャネルの中の第１のサブフレーム５２２よりも１．５タイムスロットだけ早いことを認識してもよい。従って、ＲＮＣは、ＨＳ−ＳＣＣＨ１チャネルの中の第１のサブフレーム５１２は、前のサブフレームであり、かつＨＳ−ＳＣＣＨ２チャネルの中の第１のサブフレーム５２２は、後のサブフレームであるということを決定してもよい。
【００８６】
ステップ５０４：管理ノードは、２つのセルの中の互いに対になった２つのサブフレームの時系列関係に従って、２つのセルの中の前のセル及び後のセルを決定する。
【００８７】
ＨＳ−ＳＣＣＨ１チャネルの中の第１のサブフレーム５１２を前のサブフレームとして、かつＨＳ−ＳＣＣＨ２チャネルの中の第１のサブフレーム５２２を後のサブフレームとしてＲＮＣが決定した後、ＲＮＣは、ＨＳ−ＳＣＣＨ１チャネルが属するセルを前のセルとし、ＨＳ−ＳＣＣＨ２チャネルが属するセルを後のセルと決定してもよい。
【００８８】
ステップ５０５：管理ノードは、前のセルのハイブリッドＡＲＱプロセスのスケジューリング期間に従って、前のセル及び後のセルのうちの１つをタイミング基準セルとして決定し、かつ他方を対になったセルとして決定する。
【００８９】
ＲＮＣは、前のセル及び後のセルのＨＡＲＱプロセスのスケジューリング期間を取得してもよい。本実施例において、ＲＮＣは、前のセルのＨＡＲＱプロセスのスケジューリング期間が６サブフレーム期間であることを取得してもよい。従って、ＲＮＣは、実施例２により提供されるタイミング基準決定方法に従って、前のセルをタイミング基準セルとして決定し、かつ後のセルを対になったセルとして決定してもよい。
【００９０】
ステップ５０６：管理ノードは、タイミング基準セルの識別子情報に従って、タイミング基準情報を生成する。
【００９１】
タイミング基準情報は、一般に、前述の２つのセルのうちのタイミング基準セルとしての役割を果たす１つのセルの識別子情報を含み、ここで、識別子情報は、セルシーケンス番号であってもよく、かつセルシーケンス番号は負でない整数である。
【００９２】
ステップ５０７：管理ノードは、サブフレーム対関係及びタイミング基準情報を携帯端末に送信する。
【００９３】
ＲＮＣは、携帯端末が複数のサブフレームを受信することができるようにするため、サブフレーム対関係及びタイミング基準情報を、同時又は異なる時間に、携帯端末に送信してもよい。好適には、時間基準情報を送信する一方で、ＲＮＣはさらに、フィードバック時間表示情報を携帯端末に送信してもよく、ここで、フィードバック時間表示情報は、事前に定められたタイムスロット長を表示するために用いられる。事前に定められたタイムスロット長の値の範囲は、［７．５タイムスロット−１．５タイムスロット、７．５タイムスロット＋１．５タイムスロット］である。
【００９４】
ステップ５０８：携帯端末は、タイミング基準情報に従って、２つのセルのうちの１つが、タイミング基準セルであることを認識する。
【００９５】
タイミング基準情報を受信した後、ＵＥは、ＨＳ−ＳＣＣＨ１チャネルの属するセルがタイミング基準セルであり、かつＨＳ−ＳＣＣＨ２チャネルの属するセルが対になったセルである、ということを認識してもよい。
【００９６】
ステップ５０９：携帯端末は、２つのセルの対になったサブフレームを受信し、かつタイミング基準セルにおいて、サブフレームを受信した後、事前に定められたタイムスロット後のハイブリッドＡＲＱ受信確認情報をフィードバックする。ここで、ハイブリッドＡＲＱ受信確認情報は、２つのセルにおける対になったサブフレームに対して、共同で同時にフィードバックされるハイブリッドＡＲＱ受信確認情報である。
【００９７】
ＵＥは、ＲＮＣにより送信される２つのセルのサブフレーム対関係に従って、２つのセルの対になったサブフレームを受信してもよい。具体的に言うと、ＵＥは、タイミング基準セルの中のサブフレーム及び他のセルの中の対になったサブフレームを受信した後、事前に定められたタイムスロット長後のＨＡＲＱ−ＡＣＫ情報をフィードバックする必要があり、ここで、ＨＡＲＱ−ＡＣＫ情報は、２つのセルの中の互いに対になった２つのサブフレームについて共同でフィードバックされるＨＡＲＱ−ＡＣＫ情報である。事前に定められたタイムスロット長は、デフォルト値であってもよく、かつまた、ＲＮＣにより送信されるフィードバック時間表示情報を分析することにより得られる値であってもよい。
【００９８】
図５Ｂに関連して、ＵＥは、まず、タイミング基準セルの中のＨＳ−ＳＣＣＨ１チャネルにおいて第１のサブフレーム５１２を受信し、かつその後、２タイムスロット後に、タイミング基準セルの中のＨＳ−ＰＤＳＣＨ１チャネルの中の第１のサブフレーム５１４を受信する、ということが理解され得る。この時、ＵＥは、ＨＳ−ＳＣＣＨ１チャネルの中の第１のサブフレーム５１２により送信される制御信号に従って、ＨＳ−ＰＤＳＣＨ１チャネルの中の第１のサブフレーム５１４に対する復調、復号化、及びその他の操作を実行してもよい。ＵＥは、１．５タイムスロット後に、対になったセルの中のＨＳ−ＳＣＣＨ２チャネルにおける第１のサブフレーム５２２を受信し、かつその後、２タイムスロット後に、タイミング基準セルの中のＨＳ−ＰＤＳＣＨ２チャネルにおける第１のサブフレーム５２４を受信する。この時、ＵＥは、ＨＳ−ＳＣＣＨ２チャネルの中の第１のサブフレーム５２２により送信される制御信号に従って、ＨＳ−ＰＤＳＣＨ２の中の第１のサブフレーム５２４に対する復調、復号化、及びその他の操作を実行してもよい。サブフレームの受信及び処理が完了した後、ＵＥは、ＨＳ−ＰＤＳＣＨ１チャネルの中の第１のサブフレーム５１４を受信した後、事前に定められたタイムスロット長の後のＨＡＲＱ−ＡＣＫ情報をフィードバックする必要がある。ＨＡＲＱ−ＡＣＫ情報は、タイミング基準セルの中のサブフレーム５１４の受信情報及び対になったセルの中の対になったサブフレーム５２４の受信情報を共同で符号化することにより得られるＨＡＲＱ−ＡＣＫ情報であり、かつ、一般に、１タイムスロット長、つまり、図５Ｂに示される５３２を占有する。すなわち、２つのセルが正確にフィードバック情報を受信することを可能にするために、ＵＥは、互いに対になったサブフレーム５１４及びサブフレーム５２４を受信した後、２つのサブフレームを復調及び復号化するための時間区間を有し、かつその後、約７．５タイムスロットのネゴシエーションを行った後、２つのサブフレームが正常に受信されたかどうかを示す共同で符号化されたＨＡＲＱ−ＡＣＫ情報を、ＨＳ−ＤＰＣＣＨチャネルに対してフィードバックする。このプロセスにおいて、ＵＥが時間基準セルのサブフレーム５１４を処理するための時間Ｔ１ｕｅは、事前に定められたタイムスロット長、つまり約７．５タイムスロットであるが、対になったセルのサブフレーム５２４をＵＥが処理するための時間Ｔ２ｕｅは：事前に定められたタイムスロット長−｜サブフレーム５１４と対になったサブフレーム５２４との間の時間差｜に、つまり、６タイムスロットに短縮される。一方で、ノードＢ側について、タイミング基準セルが属する基地局は、ＨＡＲＱ−ＡＣＫ情報を受信した後、ＵＥからフィードバックされるＨＡＲＱ−ＡＣＫ情報に対する処理を実行する必要があり、ここで、処理時間Ｔ１ノードＢは：タイミング基準セルのＨＡＲＱ処理のスケジューリング期間により占有されるタイムスロット長−Ｔ３−Ｔ１ｕｅ＝４．５タイムスロットであり、そしてその後、タイミング基準セルは次のセブフレームの送信を開始する。対になったセルの属する基地局は、ＨＡＲＱ−ＡＣＫ情報を受信した後、ＵＥからフィードバックされるＨＡＲＱ−ＡＣＫ情報に対する処理を実行する必要があり、ここで、処理時間Ｔ２ノードＢは：対になったセルのＨＡＲＱプロセスのスケジューリング期間により占有されるタイムスロット長−Ｔ３−Ｔ２ｕｅ＝６タイムスロットに延長され、そしてその後、対になったセルは、次のサブフレームの送信を開始する。
【００９９】
Ｔ３＝｜ＨＳ−ＰＤＳＣＨチャネルの中のサブフレームとＨＳ−ＳＣＣＨチャネルの中の対応するサブフレームとの間のタイムスロットの差分｜＋（ＨＳ−ＰＤＳＣＨチャネルの中のサブフレームにより占有されるタイムスロット長）＋（ＨＡＲＱ−ＡＣＫ情報により占有されるタイムスロット）＝２タイムスロット＋３タイムスロット＋１タイムスロット＝６タイムスロット。
【０１００】
２つのセルの対になったサブフレームの間の時間差の可能な範囲は、［−１．５タイムスロット、１．５タイムスロット］であり、かつ本実施例において仮定される１．５タイムスロットに限定されない、ということに注意すべきである。また、これについては、他の複数の実施例に対しても適用され、かつ詳細を再度説明することは行わない。
【０１０１】
要約すると、異なる下りリンクのチャネルのタイミングを有する２つのセルのうちの１つをタイミング基準セルとして決定し、かつタイミング基準セルをＨＡＲＱ−ＡＣＫ情報をフィードバックするための基準として使用する技術的手段により、本発明の実施例３により提供されるタイミング方法は、ＵＥが、サービングセル及び補助サービングセルの２つのＨＡＲＱ−ＡＣＫ情報を共同でフィードバックするために、同じＨＳ−ＤＰＣＣＨを使用する場合に生じる、タイミング問題を解決することができる。ＵＥ及び対になったセルが属するノードＢの処理時間を短縮又は延長する技術的手段に関して、ＵＥ及びノードＢの双方は、それらの作業を処理するために十分な時間（例えば、ノードＢは、それ自身の作業を処理するために、少なくとも４．５タイムスロットの時間を必要とする）を有することが可能となり、かつ異なる下りリンクのチャネルタイミングを有する２つのセルについて、ＵＥが、通常、マルチフロー送信技術を使用することを可能にするという技術的効果が達成される。
【０１０２】
実施例４
この実施例において、前のセルのＨＡＲＱプロセスのスケジューリング期間は、７サブフレームの期間であり、後のセルのＨＡＲＱプロセスのスケジューリング期間は、６サブフレームの期間であり、かつ対になったサブフレームの間の遅延は１．５タイムスロットである、ということが仮定される。タイミング基準セルを決定する処理は、管理ノードにより実行される。
【０１０３】
本発明の実施例４により提供される通信システムの構成ブロック図である図６Ａを参照する。通信システムは、図２Ａ又は図２Ｂに示される通信システムであってもよい。通信システムは異なる下りリンクのチャネルタイミングを有する２つのセルを含んでもよく、ここで、２つのセルの双方は、下りリンクの送信を行うために、高速ダウンリンクパケットアクセスを採用する。通信システムは、具体的には、管理ノード６１０及び携帯端末６３０を含んでもよい。
【０１０４】
管理ノード６１０は、携帯端末６３０に、タイミング基準情報を送信するように構成される。一般に、管理ノード６１０は、ＲＮＣである。管理ノード６１０は、具体的には、アクセス時間取得モジュール６１２、タイミング基準決定モジュール６１４、及びタイミング基準送信モジュール６１６を備えてもよい。
【０１０５】
アクセス時間取得モジュール６１２は、携帯端末６３０により通知されるアクセス時間差情報を取得するように構成される。
【０１０６】
タイミング基準決定モジュール６１４は、アクセス時間差情報に従って、タイミング基準情報を生成するように構成され、ここで、タイミング基準情報は、タイミング基準セルの識別子情報を含む。タイミング基準決定モジュール６１４は、図７に示されるように、対関係生成部７１０、時間関係決定部７２０、セル関係決定部７３０、タイミング基準決定部７４０、及び基準情報生成部７５０、を含んでもよい。対関係生成部７１０は、アクセス時間取得モジュール６１２により取得されたアクセス時間差情報に従って、２つのセルのサブフレーム対関係を生成するように構成される。時間関係決定部７２０は、アクセス時間差情報及びサブフレーム対関係に従って、２つのセルの中の互いに対になった２つのサブフレームの時系列関係を決定する。セル関係決定部７３０は、２つのセルの中の互いに対になった２つのサブフレームの時系列関係に従って、２つのセルの中の前のセル及び後のセルを決定する。タイミング基準決定部７４０は、前のセルのハイブリッドＡＲＱプロセスのスケジューリング期間に従って、前のセル及び後のセルのうちの１つをタイミング基準セルとして決定し、かつ他方を対になったセルと決定する。基準情報生成部７５０は、タイミング基準セルの識別子情報に従って、タイミング基準情報を生成するように構成される。
【０１０７】
具体的に言うと、タイミング基準決定部７４０は、スケジューリング期間取得サブユニット７４２、第１決定サブユニット７４４、及び第２決定サブユニット７４６を含んでもよい。スケジューリング期間取得サブユニット７４２は、前のセルのハイブリッドＡＲＱプロセスのスケジューリング期間を取得するように構成され、ここで、スケジューリング期間は、６サブフレーム期間、７サブフレーム期間、及び８サブフレーム期間の内の１つである。前のセルのハイブリッドＡＲＱプロセスのスケジューリング期間が、６サブフレーム期間であった場合、第１決定サブユニット７４４は、前のセルをタイミング基準セルとして決定し、かつ後のセルを対になったセルとして決定するように構成される。前のセルのハイブリッドＡＲＱプロセスのスケジューリング期間が７サブフレーム期間又は８サブフレーム期間であった場合、第２決定サブユニット７４６は、後のセルをタイミング基準セルとして決定し、かつ前のセルを対になったセルとして決定するように構成される。図６Ｂに示される具体的な実行環境において、スケジューリング期間取得サブユニット７４２は、前のセルのＨＡＲＱプロセスのスケジューリング期間が７サブフレーム期間であること、及び後のセルのＨＡＲＱプロセスのスケジューリング期間が６サブフレーム期間であることを取得するので、第２決定サブユニット７４６は、後のセルをタイミング基準セルとして決定し、かつ前のセルを対になったセルとして決定してもよい。
【０１０８】
タイミング基準送信モジュール６１６は、携帯端末に対して、タイミング基準情報を送信するように構成される。
【０１０９】
携帯端末６３０は、基準情報分析モジュール６３２、サブフレーム対受信モジュール６３４、及び受信情報フィードバックモジュール６３６を含んでもよい。
【０１１０】
基準情報分析モジュール６３２は、タイミング基準情報に従って、２つのセルのうちの１つのがタイミング基準セルであることを認識するように構成される。図６Ｂに示される具体的な実行環境において、基準情報分析モジュール６３２は、ＨＳ−ＳＣＣＨ１チャネルが属するセルがタイミング基準セルであり、かつＨＳ−ＳＣＣＨ２チャネルが属するセルが対になったセルであるということを認識してもよい。
【０１１１】
サブフレーム対受信モジュール６３４は、２つのセルの対になったサブフレームを受信するように構成される。サブフレーム対受信モジュール６３４は、まず、タイミング基準セルの中のＨＳ−ＳＣＣＨ１チャネルにおける第１のサブフレーム６１２を受信し、そしてその後、２タイムスロット後に、タイミング基準セルの中のＨＳ−ＰＤＳＣＨ１チャネルにおける第１のサブフレーム６１４を受信する。この時、サブフレーム対受信モジュール６３４は、ＨＳ−ＳＣＣＨ１チャネルの中の第１のサブフレーム６１２により送信される制御信号に従って、ＨＳ−ＰＤＳＣＨ１の中の第１のサブフレーム６１４に対する復調、復号化、及びその他の操作を実行してもよい。サブフレーム対受信モジュール６３４は、さらに、対になったセルの中のＨＳ−ＳＣＣＨ２チャネルにおける第１のサブフレーム６２２を受信し、かつその後、２タイムスロット後に、タイミング基準セルの中のＨＳ−ＰＤＳＣＨ２チャネルにおける第１のサブフレーム６２４を受信する。この時、サブフレーム対受信モジュール６３４は、ＨＳ−ＳＣＣＨ２チャネルの中の第１のサブフレーム６２２により送信される制御信号に従って、ＨＳ−ＰＤＳＣＨチャネルにおける第１のサブフレーム６２４に対する、復調、復号化、及びその他の操作を実行してもよい。具体的に言うと、管理ノードは、さらに、対関係送信モジュール（図示しない）を含んでもよく、そして対関係送信モジュールは、２つのセルのサブフレーム対関係を、携帯端末６３０に対して送信するように構成される。これに対応して、携帯端末は、対関係受信モジュール（図示せず）を含んでもよく、そして対関係受信モジュールは、対関係送信モジュールにより送信される、サブフレーム対関係を受信するように構成されてもよい。サブフレーム対受信モジュール６３４は、対関係送信モジュールにより送信された２つのセルのサブフレーム対関係に従って、２つのセルの対になったサブフレームを受信してもよい。
【０１１２】
受信情報フィードバックモジュール６３６は、タイミング基準セルの中のサブフレームが受信された後、事前に定められたタイムスロット長後のハイブリッドＡＲＱ受信確認情報を受信するように構成され、ここで、ハイブリッドＡＲＱ受信確認情報は、２つのセルの対になったサブフレームに対して、共同で同時にフィードバックされるハイブリッドＡＲＱ受信確認情報である。事前に定められるタイムスロット長は、既定値又は管理ノードにより送信されるフィードバック時間表示情報に従って認識される値であってもよい。管理ノードがフィードバック時間表示情報を送信する実施例において、管理ノードは、好適には、さらに、表示情報送信モジュール（具体的には図示せず）を含んでもよい。表示情報送信モジュールは、フィードバック時間表示情報を携帯端末に対して送信するように構成されてもよく、ここで、フィードバック時間表示情報は、事前に定められるタイムスロット長を表示するために使用される。タイムスロット長の値の範囲は、［７．５タイムスロット−１．５タイムスロット、７．５タイムスロット＋１．５タイムスロット］である。
【０１１３】
図６Ｂに関連して、受信情報フィードバックモジュール６３６は、ＨＳ−ＰＤＳＣＨ１チャネルの中の第１のサブフレーム６１４が受信された後、事前に定められたタイムスロット長の時間後にＨＡＲＱ−ＡＣＫ情報をフィードバックすべきである。事前に定められたタイムスロット長は、約７．５タイムスロット±１．５タイムスロットである。ＨＡＲＱ−ＡＣＫ情報は、時間基準セルの中のサブフレーム６１４の受信情報及び対になったセルの中の対になったサブフレーム６２４の受信情報を共同で符号化することにより得られたＨＡＲＱ−ＡＣＫ情報であり、そして、一般に、１タイムスロット、つまり、図６Ｂに示される６３２により占有される。つまり、２つのセルがフィードバック情報を正しく受信できるようにするために、サブフレーム対受信モジュール６３４は、互いに対になったサブフレーム６１４及びサブフレーム６２４を受信した後、２つのサブフレームを復調及び復号化するためのいくらかの時間を有し、そしてその後、受信情報フィードバックモジュール６３６は、事前に定められたタイムスロット長（７．５タイムスロット）のネゴシエーションを行った後、２つのサブフレームが正常に受信されたかどうかを示す、共同で符号化されたＨＡＲＱ−ＡＣＫ情報をＨＳ−ＤＰＣＣＨチャネルにフィードバックしなければならない。このプロセスにおいて、サブフレーム対受信モジュール６３４が、時間基準セルのサブフレーム６１４を処理するために必要な時間Ｔ１ｕｅは、事前に定められた時間スロット長である、つまり、約７．５タイムスロットであるが、サブフレーム対受信モジュール６３４が対になったセルのサブフレーム６２４を処理するために必要な時間Ｔ２ｕｅは：事前に定められたタイムスロット長＋｜サブフレーム６１４と対になったサブフレーム６２４との時間差｜、つまり、９タイムスロットに拡張される。ノードＢ側について、タイミング基準セルが属する基地局は、ＨＡＲＱ−ＡＣＫ情報を受信した後、受信情報フィードバックモジュール６３６から受信されたＨＡＲＱ−ＡＣＫ情報についての処理を実行する必要があり、ここで、処理時間Ｔ１ノードＢは：タイミング基準セルのＨＡＲＱプロセスのスケジューリング期間により占有されるタイムスロット長−Ｔ３−Ｔ１ｕｅ＝４．５タイムスロット長であり、かつその後タイミング基準セルは、次のサブフレームの送信を開始する。対になったセルの属する基地局は、ＨＡＲＱ−ＡＣＫ情報を受信した後、受信情報フィードバックモジュール６３６によりフィードバックされたＨＡＲＱ−ＡＣＫ情報についての処理を実行する必要があり、ここで、処理時間Ｔ２ノードＢは：対になったセルのＨＡＲＱプロセスのスケジューリング期間により占有されるタイムスロット長−Ｔ３−Ｔ２ｕｅ＝６タイムスロットに短縮され、そしてその後、対になったセルは次のフレームの送信を開始する。
【０１１４】
Ｔ３＝｜ＨＳ−ＰＤＳＣＨチャネルの中のサブフレームとＨＳ−ＳＣＣＨチャネルの中の対応するサブフレームとの時間差｜＋（ＨＳ−ＰＤＳＣＨチャネルの中のサブフレームにより占有されるタイムスロット長）＋（ＨＡＲＱ−ＡＣＫ情報により占有されるタイムスロット）＝２タイムスロット＋３タイムスロット＋１タイムスロット＝６タイムスロット。
【０１１５】
要約すると、異なる下りリンクのチャネルのタイミングを有する２つのセルの１つをタイミング基準セルとして決定し、かつタイミング基準セルをＨＡＲＱ−ＡＣＫ情報をフィードバックするための基準として使用する技術的手段により、本発明の実施例４により提供される通信システムは、ＵＥが、サービングセル及び補助サービングセルの２つのＨＡＲＱ−ＡＣＫ情報を共同でフィードバックするために、同じＨＳ−ＤＰＣＣＨを使用する場合に生じるタイミングの問題を解決する。ＵＥ及び対になったセルが属するノードＢの処理時間を短縮又は延長する技術的手段に関して、ＵＥ及びノードＢの双方は、それらの作業を処理するために十分な時間（例えば、ノードＢは、それ自身の作業を処理するために、少なくとも４．５タイムスロットの時間を必要とする）を有することが可能となり、かつ異なる下りリンクのチャネルタイミングを有する２つのセルについて、ＵＥが、通常、マルチフロー送信技術を使用することを可能にするという技術的効果が達成される。
【０１１６】
追加的に、ＵＥにより受信されるサブフレーム対関係は、２つの形式であってもよいということに注意すべきである。
【０１１７】
形式１：２つのセルの中の互いに対になった２つのサブフレームのシステムフレーム番号及びサブフレーム番号。例えば、ＨＳ−ＳＣＣＨチャネルの中の互いに対になった２つのサブフレームがサブフレーム６１２及びサブフレーム６２２である場合、サブフレーム対関係は：サブフレーム６１２のシステムフレーム番号及びサブフレーム番号、及びサブフレーム６２２のシステムフレーム番号及びサブフレーム番号を含んでもよい。
【０１１８】
形式２：２つのセルの中の互いに対になった第１のサブフレーム及び第２のサブフレームにおける、第１のサブフレームのシステムフレーム番号及びサブフレーム番号、及び第１のサブフレームと比較しての、第２のサブフレームについてのシステムフレーム番号オフセット及びサブフレーム番号オフセット。例えば、ＨＳ−ＳＣＣＨチャネルにおける２つの互いに対になったサブフレームが第１のサブフレーム６１２及び第２のサブフレーム６２２である場合、サブフレーム対関係は：第１のサブフレーム６１２のシステムフレーム番号及びサブフレーム番号、第２のサブフレーム６２２のシステムフレーム番号と第１のサブフレーム６１２のシステムフレーム番号との間のオフセット、及び第２のサブフレーム６２２のサブフレーム番号と第１のサブフレーム６１２のサブフレーム番号との間のオフセット、を含んでもよい。しかしながら、第１のサブフレームは、一般に、ＨＳ−ＳＣＣＨチャネルの中のタイミング基準セルのサブフレームであるか、又はＨＳ−ＳＣＣＨチャネルの中のプライマリサービングセルのサブフレームである、ということ注意すべきである。
【０１１９】
前述の複数の機能モジュールの分割は、前述の実施例４により提供される通信システムの説明における例としてのみ用いられる、ということに注意すべきである。実際的な適用において、前述の複数の機能は、必要に応じて、異なる複数の機能モジュールにより実現されてもよい、すなわち、装置の内部構成は、説明された複数の機能の全て又はその一部を完成させるために、異なる複数の機能モジュールに分割される。また、前述の実施例により提供される通信システム及び実施例３において示される方法の実施例は、同じ考えに基づいている。通信システムの具体的な実施プロセスについて、方法の実施例が参照されてもよい。本明細書において、詳細は、追加的には説明されない。
【０１２０】
実施例５
前のセルのＨＡＲＱプロセスのスケジューリング期間及び後のセルのＨＡＲＱプロセスのスケジューリング期間の双方は、７サブフレーム期間であり、対になったサブフレームの間の遅延は、１．５タイムスロットであることが仮定される。タイミング基準セルを決定する処理は、携帯端末により実行される。
【０１２１】
本発明の実施例５により提供される携帯端末の構成ブロック図である図８Ａを参照する。携帯端末は、図２Ａ又は図２Ｂに示される通信システムにおいて使用されてもよい。通信システムは、異なる下りリンクのチャネルタイミングを有する２つのセルを含んでもよく、ここで、２つのセルの双方は、下りリンクの送信を実行するための高速ダウンリンクパケットアクセスを採用する。携帯端末は、セル関係決定モジュール８２０、タイミング基準決定モジュール８４０、及び受信情報フィードバックモジュール８６０を含んでもよい。
【０１２２】
セル関係決定モジュール８２０は、２つのセルの中の互いに対になった２つのサブフレームの時系列関係に従って、２つのセルの中の前のセル及び後のセルを決定するように構成されている。図８Ｂを参照すると、図８Ｂは、本実施例の中の各種チャネル間のタイミング関係を示している。ＨＳ−ＳＣＣＨ１チャネル及びＨＳ−ＰＤＳＣＨ１チャネルは、１つのセルに属する一方で、ＨＳ−ＳＣＣＨ２チャネル及びＨＳ−ＰＤＳＣＨ２チャネルは、他のセルに属すると仮定される。ＨＳ−ＤＰＣＣＨチャネルは、２つのセルの中のサービングセルにより送信される、上りリンクのフィードバックチャネルである。前述の説明から、ＨＳ−ＳＣＣＨ１チャネルの中の第１のサブフレーム８１２は、ＨＳ−ＰＤＳＣＨ１チャネルの中の第１のサブフレーム８１４を復号化するための制御信号を送信するために使用され、そして従って２タイムスロット先に送信される必要がある、ということが理解され得る。同様に、ＨＳ−ＳＣＣＨ２の中の第１のサブフレーム８２２は、ＨＳ−ＰＤＳＣＨ２チャネルの中の第１のサブフレーム８２４を復号化するための制御信号を送信するために使用され、そして従って、また、２タイムスロット先に送信される必要がある。ＨＳ−ＳＣＣＨ１チャネルの中の第１のサブフレーム８１２及びＨＳ−ＳＣＣＨ２チャネルの中の第１のサブフレーム８２２は、互いに対になったサブフレームであり、かつＨＳ−ＳＣＣＨ１チャネルの中の第１のサブフレーム８１２は、ＨＳ−ＳＣＣＨ２チャネルの中の第１のサブフレーム８２２よりも、１．５タイムスロット後である。従って、セル関係決定モジュール８２０は、ＨＳ−ＳＣＣＨ１チャネルの中の第１のサブフレーム８１２を後のサブフレームとして、そしてＨＳ−ＳＣＣＨ２チャネルの中の第１のサブフレーム８２２を前のサブフレームとして決定してもよく、つまり、ＨＳ−ＳＣＣＨ１の属するセルは後のセルであり、かつＨＳ−ＳＣＣＨ２の属するセルは前のセルである。
【０１２３】
タイミング基準決定モジュール８４０は、前のセルのハイブリッドＡＲＱのスケジューリング期間に従って、前のセル及び後のセルのうちの１つをタイミング基準セルとして決定し、かつ他方を対になったセルとして決定する。タイミング基準決定モジュール８４０は、具体的には、図９に示されるように、スケジューリング期間取得部８４２、第１決定サブユニット８４４、及び第２決定サブユニット８４６を含んでもよい。スケジューリング期間取得部８４２は、前のセルのハイブリッドＡＲＱプロセスのスケジューリング期間を取得するように構成され、ここでスケジューリング期間は、６サブフレーム期間、７サブフレーム期間、及び８サブフレーム期間のうちの１つである。第１決定サブユニット８４４は、前のセルのハイブリッドＡＲＱプロセスのスケジューリング期間が６サブフレーム期間である場合に、前のセルをタイミング基準セルとして決定し、かつ後のセルを対になったセルとして決定するように構成される。第２決定サブユニット８４６は、前のセルのハイブリッドＡＲＱプロセスのスケジューリング期間が７サブフレーム期間又は８サブフレーム期間である場合に、後のセルをタイミング基準セルとして決定し、かつ前のセルを対になったセルとして決定するように構成される。
【０１２４】
図８Ｂは、スケジューリング期間取得部８４２により取得され得る、前のセルのＨＡＲＱプロセスのスケジューリング期間が７サブフレーム期間であった場合に、第２決定サブユニット８４６が、後のセルをタイミング基準セルとして決定し、かつ前のセルを対になったセルとして決定し得ることの例として用いられる。
【０１２５】
受信情報フィードバックモジュール８６０は、タイミング基準セルの中のサブフレームが受信された後、事前に定められたタイムスロット長の後のハイブリッドＡＲＱ受信確認情報をフィードバックするように構成される。ここで、ハイブリッドＡＲＱ受信確認情報は、２つのセルの中の対になったサブフレームを共同で同時にフィードバックされるハイブリッドＡＲＱ受信確認情報である。
【０１２６】
具体的に言えば、ＵＥ自身は、また、実施例２において言及されるタイミング基準決定方法に従って、タイミング基準セルを決定してもよい。実際の送信プロセスにおいて、ＵＥは、まず、タイミング基準セルの中のＨＳ−ＳＣＣＨ１チャネルの中の第１のサブフレーム８１２を受信し、２タイムスロット後に、タイミング基準セルのＨＳ−ＰＤＳＣＨ１チャネルの中の第１のサブフレーム８１４を受信する。この時、ＵＥは、ＨＳ−ＳＣＣＨ１チャネルの中の第１のサブフレーム８１２により送信される制御チャネルに従って、ＨＳ−ＰＤＳＣＨ１チャネルの中の第１のサブフレーム８１４に対する復調、復号化、及びその他の操作を実行してもよい。ＵＥは、さらに、対になったセルにおけるＨＳ−ＳＣＣＨ２チャネルの中の第１のサブフレーム８２２を受信し、そしてその後、２タイムスロット後に、タイミング基準セルの中のＨＳ−ＰＤＳＣＨ２チャネルの中の第１のサブフレーム８２４を受信する。この時、ＵＥは、ＨＳ−ＳＣＣＨ２チャネルの中の第１のサブフレーム８２２により送信される制御信号に従って、ＨＳ−ＰＤＳＣＨ２チャネルの中の第１のサブフレーム８２４に対する復調、復号化、及びその他の操作を実行してもよい。その後、ＵＥは、ＨＳ−ＰＤＳＣＨ１の中の第１のサブフレーム８１４を受信した後、事前に定められたタイムスロット長の後のＨＡＲＱ−ＡＣＫ情報をフィードバックすべきである。事前に定められたタイムスロット長は、約７．５タイムスロット±１．５タイムスロットである。ＨＡＲＱ−ＡＣＫ情報は、タイミング基準セルの中のサブフレーム８１４の受信情報及び対をなすセルの中の対をなすサブフレーム８２４の受信情報を共同で符号化することにより得られるＨＡＲＱ−ＡＣＫ情報であり、かつ、一般に、１タイムスロット、すなわち、図８Ｂに示される８３２を占有する。すなわち、２つのセルが正しくフィードバック情報を受信できるようにするために、ＵＥは、互いに対になったサブフレーム８１４及びサブフレーム８２４を受信した後、２つのサブフレームに対して復調及び復号化を実行するためのいくらかの時間を持ち、そしてその後、事前に定められたタイムスロット長（約７．５タイムスロット）のネゴシエーションを行った後、２つのサブフレームが正常に受信されたかどうかを示す共同で符号化されたＨＡＲＱ−ＡＣＫ情報を、ＨＳ−ＤＰＣＣＨチャネルに対してフィードバックしなければならない。この処理において、タイミング基準セルのサブフレーム８１４をＵＥが処理するための時間Ｔ１ｕｅは、事前に定められたタイムスロット長であり、つまり、約７．５タイムスロットであるが、対になったセルのサブフレーム８２４をＵＥが処理するための時間Ｔ２ｕｅは：事前に定められたタイムスロット長＋｜サブフレーム８１４と対になったサブフレーム８２４との間の時間差｜、つまり、９タイムスロットに延長される。ノードＢ側について、タイミング基準セルが属する基地局は、ＨＡＲＱ−ＡＣＫ情報を受信した後、ＵＥからフィードバックされたＨＡＲＱ−ＡＣＫ情報に対する処理を実行する必要があり、ここで、処理時間Ｔ１ノードＢは：タイミング基準セルのＨＡＲＱプロセスのスケジューリング期間により占有されるタイムスロッ���長−Ｔ３−Ｔ１ｕｅ=７．５タイムスロットであり、そしてその後タイミング基準セルは、次のサブフレームの送信を開始する。対になったセルが属する基地局は、ＨＡＲＱ−ＡＣＫ情報を受信した後、ＵＥからフィードバックされたＨＡＲＱ−ＡＣＫ情報に対する処理を実行する必要があり、ここで、処理時間Ｔ２ノードＢは：対になったセルのＨＡＲＱプロセスのスケジューリング期間により占有されるタイムスロット長−Ｔ３−Ｔ２ｕｅ＝６タイムスロットに短縮され、そしてその後、対になったセルは、次のサブフレームの送信を開始する。
【０１２７】
Ｔ３＝｜ＨＳ−ＰＤＳＣＨチャネルの中のサブフレームとＨＳ−ＳＣＣＨチャネルの中の対応するサブフレームとの間のタイムスロットの差分｜＋（ＨＳ−ＰＤＳＣＨチャネルの中のサブフレームにより占有されるタイムスロット長）＋（ＨＡＲＱ−ＡＣＫ情報により占有されるタイムスロット）＝２タイムスロット＋３タイムスロット＋１タイムスロット＝６タイムスロット。
【０１２８】
好適には、携帯端末は、２つのセルの中の互いに対になった２つのサブフレームの時系列関係を決定するための２つの方法を採用してもよい。従って、具体的な実施例において、図９に示されるように、携帯端末は、さらに、アクセス情報取得モジュール９０２及び第１時間関係決定モジュール９０４をさらに含んでもよい。アクセス情報取得モジュール９０２は、２つのセルのアクセス時間差情報を取得するように構成される。第１時間関係決定モジュール９０４は、アクセス時間差情報に従って、２つのセルの中の互いに対になった２つのサブフレームの時系列関係を決定するように構成される。
【０１２９】
他の具体的な実施例において、携帯端末は、さらに、対関係受信モジュール１００２、受信時間取得モジュール１００４、及び第２時間関係決定モジュール１００６を含んでもよい。対関係受信モジュール１００２は、２つのセルのサブフレーム対関係を受信するように構成される。受信時間取得モジュール１００４は、２つのセルの中の互いに対になった２つのサブフレームの受信時間を取得するように構成される。第２時間関係決定モジュール１００６は、サブフレーム対関係及び受信時間に従って、２つのセルの中の互いに対になった２つのサブフレームの時系列関係を決定するように構成される。
【０１３０】
要約すると、異なる下りリンクのチャネルのタイミングを有する２つのセルの１つをタイミング基準セルとして決定し、かつタイミング基準セルをＨＡＲＱ−ＡＣＫ情報をフィードバックする基準として使用する技術的手段により、本発明の実施例５により提供される携帯端末は、ＵＥが、サービングセル及び補助サービングセルの２つのＨＡＲＱ−ＡＣＫ情報を共同でフィードバックするために、同じＨＳ−ＤＰＣＣＨを使用する場合に発生するタイミングの問題を解決する。ＵＥ及び対になったセルが属するノードＢの処理時間を短縮又は延長する技術的手段に関連して、ＵＥ及びノードＢの双方は、それら自身の作業を処理するために十分な時間を持つことができ（例えば、ノードＢは、それ自身の作業を処理するために、４．５タイムスロット以上の時間を要する）、かつ異なる下りリンクのチャネルのタイミングを有する２つのセルの中において、ＵＥが、通常、マルチフロー送信技術を使用することを可能にするという、技術的な効果が達成される。
【０１３１】
さらに、前のセルのＨＡＲＱプロセスのスケジューリング期間が８サブフレーム期間である実施例は、前述の実施例に従って、容易に考えることができ、そして従って本明細書において再度説明しない、ということに注意すべきである。
【０１３２】
当業者は、複数の実施例の全て又は一部のステップを、ハードウェア又は関連するハードウェアに命令するプログラムによって実施することができる、ということを理解することができる。プログラムは、コンピュータ読み取り可能な記憶媒体の中に記憶されてもよい。記憶媒体は：読み出し専用メモリ、磁気ディスク、又は光ディスクを含んでもよい。
【０１３３】
前述の複数の実施例は、本発明の単なる複数の例示的な実施例であり、かつ本発明を限定することは意図されていない。本発明の精神及び原理から逸脱することなく行われる全ての変更、均等な置換、及び改良は、本発明の保護範囲に属さなければならない。
【図１】
2015513873.tif 000003
【図２Ａ】
2015513873.tif 000004
【図２Ｂ】
2015513873.tif 000005
【図３】
2015513873.tif 000006
【図４】
2015513873.tif 000007
【図５Ａ】
2015513873.tif 000008
【図５Ｂ】
2015513873.tif 000009
【図６Ａ】
2015513873.tif 000010
【図６Ｂ】
2015513873.tif 000011
【図７】
2015513873.tif 000012
【図８Ａ】
2015513873.tif 000013
【図８Ｂ】
2015513873.tif 000014
【図９】
2015513873.tif 000015
【図１０】
2015513873.tif 000016
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
タイミング基準信号を送信する方法であって、前記方法は、異なる下りリンクのチャネルのタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記方法は：
携帯端末により通知されるアクセス時間差情報を取得するステップ；
前記アクセス時間差情報に従って、タイミング基準情報を生成するステップであって、前記タイミング基準情報は、タイミング基準セルの識別子情報を含む、ステップ；及び
前記タイミング基準情報を前記携帯端末に送信するステップ；
を含む、方法。
【請求項２】
前記アクセス時間差情報に従って、タイミング基準情報を生成するステップは：
前記アクセス時間差情報に従って、前記２つのセルのサブフレーム対関係を生成するステップ；
前記アクセス時間差情報及び前記サブフレーム対関係に従って、前記２つのセルの中の互いに対になった２つのサブフレームの時系列関係を決定するステップ；
前記２つのセルのうち、前のセル及び後のセルを決定するステップ；
前記前のセルのハイブリッドＡＲＱプロセスのスケジューリング期間に従って、前記前のセル及び前記後のセルのうちの一方を前記タイミング基準セルとし、かつ他方を対になったセルとして決定するステップ；及び
前記タイミング基準セルの前記識別子情報に従って、前記タイミング基準情報を生成するステップ；
を含む、請求項１に記載のタイミング基準情報を送信する方法。
【請求項３】
前記２つのセルのうち、前のセル及び後のセルを決定するステップは：
前記２つのセルの中の互いに対になった２つのサブフレームの前記時系列関係に従って、前記２つのセルのうちの前記前のセル及び前記後のセルを決定するステップ；
を含む、請求項２に記載のタイミング基準情報を送信する方法。
【請求項４】
前記前のセルの前記ハイブリッドＡＲＱプロセスのスケジューリング期間は、６サブフレーム期間、７サブフレーム期間、及び８サブフレーム期間のうちの１つであり、
前記前のセルのハイブリッドＡＲＱプロセスのスケジューリング期間に従って、前記前のセル及び前記後のセルのうちの一方を前記タイミング基準セルとして、かつ他方を対になったセルとして決定するステップは：
前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして、決定するステップ；
を含む、請求項２に記載のタイミング基準情報を送信する方法。
【請求項５】
前記前のセルの前記ハイブリッドＡＲＱプロセスの前記スケジューリング期間は、６サブフレーム期間、７サブフレーム期間、及び８サブフレーム期間のうちの１つであり、
前記前のセルのハイブリッドＡＲＱプロセスのスケジューリング期間に従って、前記前のセル及び前記後のセルのうちの一方を前記タイミング基準セルとして、かつ他方を対になったセルとして決定するステップは：
前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして、管理ノードにより、決定するステップ；
を含む、請求項２に記載のタイミング基準情報を送信する方法。
【請求項６】
請求項２から５のいずれか１項に記載のタイミング基準情報を送信する方法であって、前記タイミング基準情報を送信する方法は、さらに：
前記２つのセルの前記サブフレーム対関係を前記携帯端末に送信するステップ；
を含む、方法。
【請求項７】
前記サブフレーム対関係は：
前記２つのセルの中の前記互いに対になった２つのサブフレームのシステムフレーム番号及びサブフレーム番号；又は
前記２つのセルの中の互いに対になった第１のサブフレーム及び第２のサブフレームにおける、前記第１のサブフレームのシステムフレーム番号及びサブフレーム番号、及び前記第１のサブフレームと比較しての、前記第２のサブフレームについてのシステムフレーム番号オフセット及びサブフレーム番号オフセット、
を含む、請求項２から５のいずれか１項に記載のタイミング基準情報を送信する方法。
【請求項８】
前記タイミング基準情報を送信する方法は、さらに：
フィードバック時間表示情報を前記携帯端末に送信するステップであって、前記フィードバック時間表示情報は、事前に定められたタイムスロット長を示すために使用される、ステップ；を含み、
前記事前に定められたタイムスロット長の値の範囲は、［７．５タイムスロット−１．５タイムスロット、７．５タイムスロット＋１．５タイムスロット］である
請求項１から５のいずれか１項に記載のタイミング基準情報を送信する方法。
【請求項９】
無線ネットワークコントローラであって、前記無線ネットワークコントローラは、異なる下りリンクのチャネルのタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記無線ネットワークコントローラは：
携帯端末により通知されるアクセス時間差情報を取得するように構成されるアクセス時間取得モジュール；
前記アクセス時間差情報に従って、タイミング基準情報を生成するように構成されるタイミング基準決定モジュールであって、前記タイミング基準情報は、タイミング基準セルの識別子情報を含む、タイミング基準決定モジュール；及び
前記携帯端末に前記タイミング基準情報を送信するように構成されるタイミング基準送信モジュール；
を備える、無線ネットワークコントローラ。
【請求項１０】
前記タイミング基準決定モジュールは：
対関係生成部、時間関係決定部、セル関係決定部、タイミング基準決定部、及び基準情報生成部を含み：
前記対関係生成部は、前記アクセス時間差情報に従って、前記２つのセルのサブフレーム対関係を生成するように構成され；
前記時間関係決定部は、前記アクセス時間差情報及び前記サブフレーム対関係に従って、前記２つのセルの中の互いに対になった２つのサブフレームの時系列関係を決定するように構成され；
前記セル関係決定部は、前記２つのセルのうち、前のセル及び後のセルを決定するように構成され；
前記タイミング基準決定部は、前記前のセルのハイブリッドＡＲＱプロセスのスケジューリング期間に従って、前記前のセル及び前記後のセルのうちの一方を前記タイミング基準セルとし、かつ他方を対になったセルとして決定するように構成され；かつ
前記基準情報生成部は、前記タイミング基準セルの前記識別子情報に従って、前記タイミング基準情報を生成するように構成される、
請求項９に記載の無線ネットワークコントローラ。
【請求項１１】
前記セル関係決定部は、前記２つのセルの中の互いに対になった２つのサブフレームの前記時系列関係に従って、前記２つのセルのうちの前記前のセル及び前記後のセルを決定するように構成される、
請求項１０に記載の無線ネットワークコントローラ。
【請求項１２】
前記タイミング基準決定部は：
第１決定サブユニット；を含み、
前記前のセルの前記ハイブリッドＡＲＱプロセスの前記スケジューリング期間は、６サブフレーム期間、７サブフレーム期間、及び８サブフレーム期間のうちの１つであり；かつ
前記第１決定サブユニットは、前記前のセルの前記ハイブリッドＡＲＱプロセスのスケジューリング期間が前記６サブフレーム期間であった場合に、前記前のセルを前記タイミング基準セルとし、かつ前記後のセルを前記対になったセルとして決定するように構成される
請求項１０に記載の無線ネットワークコントローラ。
【請求項１３】
前記タイミング基準決定部は：
第２決定サブユニット；を含み、
前記前のセルの前記ハイブリッドＡＲＱプロセスの前記スケジューリング期間は、６サブフレーム期間、７サブフレーム期間、及び８サブフレーム期間のうちの１つであり；かつ
前記第２決定サブユニットは、前記前のセルの前記ハイブリッドＡＲＱプロセスの前記スケジューリング期間が前記７サブフレーム期間又は前記８サブフレーム期間であった場合に、前記後のセルを前記タイミング基準セルとし、かつ前記前のセルを前記対になったセルとして決定するように構成される、
請求項１０に記載の無線ネットワークコントローラ。
【請求項１４】
前記無線ネットワークコントローラは、さらに：
前記２つのセルの前記サブフレーム対関係を前記携帯端末に送信するように構成される、対関係送信モジュール；
を含む、請求項１０から１３のいずれか１項に記載の無線ネットワークコントローラ。
【請求項１５】
前記無線ネットワークコントローラは、さらに：
フィードバック時間表示情報を前記携帯端末に送信するように構成される表示情報送信モジュールであって、前記フィードバック時間表示情報は、事前に定められたタイムスロット長を示すために使用される、表示情報送信モジュール；を含み、
前記事前に定められたタイムスロット長の値の範囲は、［７．５タイムスロット−１．５タイムスロット、７．５タイムスロット＋１．５タイムスロット］である、
請求項９から１３のいずれか１項に記載の無線ネットワークコントローラ。
【請求項１６】
前記対関係生成部により生成される前記サブフレーム対関係は：
前記２つのセルの中の互いに対になった２つのサブフレームのシステムフレーム番号及びサブフレーム番号；又は
前記２つのセルの中の互いに対になった第１のサブフレーム及び第２のサブフレームにおける、前記第１のサブフレームのシステムフレーム番号及びサブフレーム番号、及び前記第１のサブフレームと比較しての前記第２のサブフレームについてのシステムフレーム番号オフセット及びサブフレーム番号オフセット、
を含む、請求項１０から１３のいずれか１項に記載の無線ネットワークコントローラ。
【請求項１７】
携帯端末であって、前記携帯端末は、異なる下りリンクのチャネルタイミングを有する２つのセルを含む通信システムにおいて用いられ、前記２つのセルの双方は、下りリンクの送信を行うために、高速ダウンリンクパケットアクセスにおけるハイブリッドＡＲＱプロセスを採用し、かつ前記携帯端末は：
タイミング基準情報を受信するように構成される基準情報受信モジュール；
前記タイミング基準情報に従って、前記２つのセルのうちの１つがタイミング基準セルであることを認識するように構成される基準情報分析モジュール；
前記２つのセルの対になったサブフレームを受信するように構成されるサブフレーム対受信モジュール；及び
前記タイミング基準セルの中のサブフレームを受信した後に、事前に定められたタイムスロット長後のハイブリッドＡＲＱ受信確認情報をフィードバックするように構成される受信情報フィードバックモジュールであって、前記ハイブリッドＡＲＱ受信確認情報は、前記２つのセルの中の前記対になったサブフレームについて共同で同時にフィードバックされるハイブリッドＡＲＱ受信確認情報である、受信情報フィードバックモジュール；
を備える、携帯端末。
【請求項１８】
前記携帯端末は、さらに：
前記２つのセルのサブフレーム対関係を受信するように構成される対関係受信モジュール；を備え、かつ、
対応して、前記対関係受信モジュールは、前記対関係受信モジュールにより受信された前記２つのセルの前記サブフレーム対関係に従って、前記２つのセルの前記対になったサブフレームを受信するように構成される、
請求項１７に記載の携帯端末。
【請求項１９】
前記携帯端末は、さらに：
前記事前に定められたタイムスロット長を取得するために、フィードバック時間表示情報を受信及び解析するように構成される表示情報受信モジュール；を備え、
前記事前に定められたタイムスロット長の値の範囲は、［７．５タイムスロット−１．５タイムスロット、７．５タイムスロット＋１．５タイムスロット］である、
請求項１７又は１８に記載の携帯端末。
【手続補正２】
【補正対象書類名】明細書
【補正対象項目名】０００４
【補正方法】変更
【補正の内容】
【０００４】
ＨＳＤＰＡの機能及び特徴を実行するために、ＨＳＤＰＡは、物理レイヤ仕様において、３つの新しいチャネルを導入している：ＨＳ−ＰＤＳＣＨ（Ｈｉｇｈ−Ｓｐｅｅｄ  Ｐｈｙｓｉｃａｌ  Ｄｏｗｎｌｉｎｋ  Ｓｈａｒｅｄ  Ｃｈａｎｎｅｌ、高速物理下りリンク共有チャネル）、ＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ、高速共有制御チャネル）、及びＨＳ−ＤＰＣＣＨ（Ｕｐｌｉｎｋ  Ｈｉｇｈ−Ｓｐｅｅｄ  Ｄｅｄｉｃａｔｅｄ  Ｐｈｙｓｉｃａｌ  Ｃｏｎｔｒｏｌ  Ｃｈａｎｎｅｌ、上り高速専用物理制御チャネル）である。簡単に言えば、一方では、セルは、下りリンク信号の中のデータ信号をＵＥに送信するために、ＨＳ−ＰＤＳＣＨチャネルを使用し、かつ下りリンク信号の中の制御信号をＵＥに送信するために、ＨＳ−ＳＣＣＨチャネルを使用し、ここで、当該制御信号は、データ信号を復調及び復号化するため及び他の複数の目的のために用いられてもよく；他方、データ信号の受信後、ＵＥは、制御信号に従って、対応するデータ信号の復調及び復号化等の処理を実行し、そしてその後、セルの受信状態を示すＨＡＲＱ−ＡＣＫ情報（Ｈｙｂｒｉｄ  Ａｕｔｏｍａｔｉｃ  Ｒｅｐｅａｔ  Ｒｅｑｕｅｓｔ−ＡＣＫ、ハイブリッドＡＲＱ−ＡＣＫ情報）をフィードバックするために、ＨＳ−ＤＰＣＣＨチャネルを用いる。ここで、ＨＡＲＱ−ＡＣＫ情報は、ＡＣＫ／ＮＡＣＫ／ＤＴＸ情報であってもよく、ＡＣＫは、ＵＥが正常にデータ信号を受信したことを示し、ＮＡＣＫは、ＵＥがデータ信号を正常に受信しなかったことを示し、そしてＤＴＸは、ＵＥがデータを検出しなかったこと、又はセルが非アクティブ状態にあることを示す。この処理、つまり、ＨＳＤＰＡ、で使用される重要な技術のうちの一つは、ＨＡＲＱ（Ｈｙｂｒｉｄ  Ａｕｔｏｍａｔｉｃ  Ｒｅｐｅａｔ  Ｒｅｑｕｅｓｔ、ハイブリッドＡＲＱ）である。
【手続補正３】
【補正対象書類名】明細書
【補正対象項目名】００５０
【補正方法】変更
【補正の内容】
【００５０】
【図５Ｂ】本発明の実施例３に従うタイミング方法の実行中の関連するタイミング関係の図である。
【手続補正４】
【補正対象書類名】明細書
【補正対象項目名】００５２
【補正方法】変更
【補正の内容】
【００５２】
【図６Ｂ】本発明の実施例４に従う通信システムの実行中の関連するタイミング関係の図である。
【手続補正５】
【補正対象書類名】明細書
【補正対象項目名】００５５
【補正方法】変更
【補正の内容】
【００５５】
【図８Ｂ】本発明の実施例５に従う、携帯端末の実行中の関連するタイミング関係の図である。
【手続補正６】
【補正対象書類名】明細書
【補正対象項目名】００８３
【補正方法】変更
【補正の内容】
【００８３】
ＲＮＣは、ＵＥにより通知されるアクセス時間差情報に従って、２つのセルのサブフレーム対関係を生成する。下りリンクの信号を共同で送信するために２つのセルを使用する必要があるため、２つのセルが別々にＵＥに対して送信するサブフレームは、互いに対になっている。具体的には、本文書における、サブフレーム対関係の具体的な内容は、次のいずれかの形式であってもよい：第１に、２つのセルの中の互いに対になった２つのサブフレームのシステムフレーム番号及びサブフレーム番号；及び第２に、２つのセルの中の互いに対になった第１のサブフレーム及び第２のサブフレームにおける、第１のサブフレームのシステムフレーム番号及びサブフレーム番号、及び第１のサブフレームと比較しての第２のサブフレームについてのシステムフレーム番号オフセット及びサブフレーム番号オフセット。ここにおいて、システムフレーム番号オフセット及びサブフレーム番号オフセットの双方は、整数である。２つの対になったサブフレームは、ＨＳ−ＳＣＣＨチャネルにおける互いに対になった２つのサブフレームであってもよく、かつまたＨＳ−ＰＤＳＣＨチャネルの中の互いに対になった２つのサブフレームであってもよい。
【手続補正７】
【補正対象書類名】図面
【補正対象項目名】図１０
【補正方法】変更
【補正の内容】
【図１０】
2015513873.tif 000017
【国際調査報告】
2015513873.tif 000018
2015513873.tif 000019
2015513873.tif 000020
2015513873.tif 000021
2015513873.tif 000022
2015513873.tif 000023